(57)【要約】  本願は、データ伝送方法、端末デバイス及びネットワークデバイスを開示し、当該方法は、端末デバイスが、第１の時刻において、ネットワークデバイスにより送信された第１のリソース指示情報を受信することと、前記端末デバイスが前記第１の時刻の後の第２の時刻において、前記ネットワークデバイスにより送信された第２のリソース指示情報を受信することとを含み、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、前記第２のリソース指示情報が、前記ｎ＋ｉ番目の時間領域リソースユニットにおいて前記ターゲットチャネルを伝送するための時間領域リソースを示す。そして、ネットワークデバイスは、端末デバイスへの上り／下りチャネルの伝送リソースを事前にスケジューリングすることができる。
2020515145.tif 000002
【特許請求の範囲】
【請求項１】
端末デバイスが、第１の時刻において、ネットワークデバイスにより送信された第１のリソース指示情報を受信することと、
前記端末デバイスが前記第１の時刻の後の第２の時刻において、前記ネットワークデバイスにより送信された第２のリソース指示情報を受信することとを含み、
前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記第２のリソース指示情報が、前記ｎ＋ｉ番目の時間領域リソースユニットにおいて前記ターゲットチャネルを伝送するための時間領域リソースを示す
ことを特徴とするデータ伝送方法。
【請求項２】
前記ｎ＋ｉ番目の時間領域リソースユニットにおいて前記ターゲットチャネルを伝送するための前記時間領域リソースは、前記ネットワークデバイスが前記第１の時刻の後に確定したものである
ことを特徴とする請求項１に記載のデータ伝送方法。
【請求項３】
前記方法は、さらに、
前記端末デバイスが前記ｎ＋ｉ番目の時間領域リソースユニットの前記周波数領域リソース及び前記時間領域リソースにおいて、前記ネットワークデバイスに前記ターゲットチャネルを送信し、又は前記ネットワークデバイスにより送信された前記ターゲットチャネルを受信することを含む
ことを特徴とする請求項１又は２に記載のデータ伝送方法。
【請求項４】
前記第２のリソース指示情報に示す前記時間領域リソースは、
前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む
ことを特徴とする請求項１〜３のいずれか１項に記載のデータ伝送方法。
【請求項５】
前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである
ことを特徴とする請求項１〜３のいずれか１項に記載のデータ伝送方法。
【請求項６】
前記第１のリソース指示情報は、前記ｎ＋ｉ番目の時間領域リソースユニットにおいて前記ターゲットチャネルを伝送するための時間領域リソースを示す
ことを特徴とする請求項１〜５のいずれか１項に記載のデータ伝送方法。
【請求項７】
前記方法は、さらに、
前記端末デバイスは、前記第１のリソース指示情報に示す時間領域リソースと前記第２のリソース指示情報に示す時間領域リソースとが同じであるかどうかを確定することと、
前記第１のリソース指示情報に示す時間領域リソースと、前記第２のリソース指示情報に示す時間領域リソースとが異なる場合、前記端末デバイスが前記第２のリソース指示情報に示す前記時間領域リソースを利用して前記ターゲットチャネルを伝送すると確定することとを含む
ことを特徴とする請求項６に記載のデータ伝送方法。
【請求項８】
前記方法は、さらに、
前記端末デバイスが前記第２のリソース指示情報に応じて、前記第１のリソース指示情報に示す時間領域リソースの範囲において、前記ターゲットチャネルを伝送するための前記時間領域リソースを確定することを含む
ことを特徴とする請求項６に記載のデータ伝送方法。
【請求項９】
前記端末デバイスが前記第１の時刻の後の第２の時刻において、前記ネットワークデバイスにより送信された第２のリソース指示情報を受信することは、
前記端末デバイスが前記第１の時刻の後の第２の時刻において、予め設定された周波数領域リソースにおいて前記ネットワークデバイスにより送信された前記第２のリソース指示情報を受信することを含む
ことを特徴とする請求項１〜８のいずれか１項に記載のデータ伝送方法。
【請求項１０】
前記第１のリソース指示情報が、前記第２のリソース指示情報を受信するための前記第２の時刻及び前記予め設定された周波数領域リソースを含み、前記端末デバイスが前記ネットワークデバイスにより送信された第２のリソース指示情報を受信する前に、前記方法は、さらに、
前記端末デバイスが前記第１のリソース指示情報に応じて、前記第２のリソース指示情報を受信するための前記第２の時刻及び前記予め設定された周波数領域リソースを確定することを含む
ことを特徴とする請求項９に記載のデータ伝送方法。
【請求項１１】
前記第２のリソース指示情報は、前記端末デバイスの専有情報である
ことを特徴とする請求項１〜１０のいずれか１項に記載のデータ伝送方法。
【請求項１２】
前記ｎ番目の時間領域リソースユニットは、
ｎ番目のスロット、ｎ番目のミニスロット、及びｎ番目のサブフレームのうちの少なくとも１つを含む
ことを特徴とする請求項１〜１１のいずれか１項に記載のデータ伝送方法。
【請求項１３】
前記端末デバイスが前記第１のリソース指示情報を受信する物理チャネルは、前記第２のリソース指示情報を受信する物理チャネルと異なる
ことを特徴とする請求項１〜１２のいずれか１項に記載のデータ伝送方法。
【請求項１４】
前記データチャネルは、
上りデータチャネル、下りデータチャネル、及びサイドリンクデータチャネルのうちの少なくとも１つを含む
ことを特徴とする請求項１〜１３のいずれか１項に記載のデータ伝送方法。
【請求項１５】
ネットワークデバイスが第１の時刻において端末デバイスに第１のリソース指示情報を送信することと、
前記ネットワークデバイスが前記第１の時刻の後の第２の時刻において、前記端末デバイスに第２のリソース指示情報を送信することとを含み、
前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記第２のリソース指示情報が、前記ｎ＋ｉ番目の時間領域リソースユニットにおいて前記ターゲットチャネルを伝送するための時間領域リソースを示す
ことを特徴とするデータ伝送方法。
【請求項１６】
前記ｎ＋ｉ番目の時間領域リソースユニットにおいて前記ターゲットチャネルを伝送するための前記時間領域リソースは、前記ネットワークデバイスが前記第１の時刻の後に確定したものである
ことを特徴とする請求項１５に記載のデータ伝送方法。
【請求項１７】
前記方法は、さらに、
前記ネットワークデバイスが前記ｎ＋ｉ番目の時間領域リソースユニットの前記周波数領域リソース及び前記時間領域リソースにおいて、前記端末デバイスにより送信された前記ターゲットチャネルを受信し、又は前記端末デバイスに前記ターゲットチャネルを送信することを含む
ことを特徴とする請求項１５又は１６に記載のデータ伝送方法。
【請求項１８】
前記第２のリソース指示情報に示す前記時間領域リソースは、
前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む
ことを特徴とする請求項１５〜１７のいずれか１項に記載のデータ伝送方法。
【請求項１９】
前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである
ことを特徴とする請求項１５〜１７のいずれか１項に記載のデータ伝送方法。
【請求項２０】
前記第１のリソース指示情報は、前記ｎ＋ｉ番目の時間領域リソースユニットにおいて前記ターゲットチャネルを伝送するための時間領域リソースを示す
ことを特徴とする請求項１５〜１９のいずれか１項に記載のデータ伝送方法。
【請求項２１】
前記方法は、さらに、
前記ネットワークデバイスが、前記第１のリソース指示情報に示す時間領域リソースと前記第２のリソース指示情報に示す時間領域リソースとが同じであるかどうかを確定することと、
前記第１のリソース指示情報に示す時間領域リソースと前記第２のリソース指示情報に示す時間領域リソースとが異なる場合、前記ネットワークデバイスが、前記第２のリソース指示情報に示す前記時間領域リソースを利用して前記ターゲットチャネルを伝送すると確定することとを含む
ことを特徴とする請求項２０に記載のデータ伝送方法。
【請求項２２】
前記方法は、さらに、
前記ネットワークデバイスが前記第２のリソース指示情報に応じて、前記第１のリソース指示情報に示す時間領域リソースの範囲において、前記ターゲットチャネルを伝送するための前記時間領域リソースを確定することを含む
ことを特徴とする請求項２０に記載のデータ伝送方法。
【請求項２３】
前記ネットワークデバイスが前記第１の時刻の後の第２の時刻において、前記端末デバイスに第２のリソース指示情報を送信することは、
前記ネットワークデバイスが前記第１の時刻の後の第２の時刻において、予め設定された周波数領域リソースにおいて前記端末デバイスに前記第２のリソース指示情報を送信することを含む
ことを特徴とする請求項１５〜２２のいずれか１項に記載のデータ伝送方法。
【請求項２４】
前記第１のリソース指示情報が、前記第２のリソース指示情報を受信するための前記第２の時刻及び前記予め設定された周波数領域リソースを含み、前記ネットワークデバイスが前記端末デバイスに前記第２のリソース指示情報を送信する前に、前記方法は、さらに、
前記ネットワークデバイスが前記第２のリソース指示情報を受信するための前記第２の時刻及び前記予め設定された周波数領域リソースを確定することを含む
ことを特徴とする請求項２３に記載のデータ伝送方法。
【請求項２５】
前記第２のリソース指示情報は、前記端末デバイスの専有情報である
ことを特徴とする請求項１５〜２４のいずれか１項に記載のデータ伝送方法。
【請求項２６】
前記ｎ番目の時間領域リソースユニットは、
ｎ番目のスロット、ｎ番目のミニスロット、及びｎ番目のサブフレームのうちの少なくとも１つを含む
ことを特徴とする請求項１５〜２５のいずれか１項に記載のデータ伝送方法。
【請求項２７】
前記ネットワークデバイスが前記第１のリソース指示情報を送信する物理チャネルは、前記第２のリソース指示情報を送信する物理チャネルと異なる
ことを特徴とする請求項１５〜２６のいずれか１項に記載のデータ伝送方法。
【請求項２８】
前記データチャネルは、
上りデータチャネル、下りデータチャネル、及びサイドリンクデータチャネルのうちの少なくとも１つを含む
ことを特徴とする請求項１５〜２７のいずれか１項に記載のデータ伝送方法。
【請求項２９】
第１の時刻においてネットワークデバイスにより送信された第１のリソース指示情報を受信するように構成される受信ユニットを含み、
前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記受信ユニットは、さらに、前記第１の時刻の後の第２の時刻において、前記ネットワークデバイスにより送信された第２のリソース指示情報を受信するように構成され、
前記第２のリソース指示情報が、前記ｎ＋ｉ番目の時間領域リソースユニットにおいて前記ターゲットチャネルを伝送するための時間領域リソースを示す
ことを特徴とする端末デバイス。
【請求項３０】
前記ｎ＋ｉ番目の時間領域リソースユニットにおいて前記ターゲットチャネルを伝送するための前記時間領域リソースは、前記ネットワークデバイスが前記第１の時刻の後に確定したものである
ことを特徴とする請求項２９に記載の端末デバイス。
【請求項３１】
前記端末デバイスは、送信ユニットをさらに含み、
前記送信ユニットは、前記ｎ＋ｉ番目の時間領域リソースユニットの前記周波数領域リソース及び前記時間領域リソースにおいて、前記ネットワークデバイスに前記ターゲットチャネルを送信するように構成され、
前記受信ユニットは、さらに、前記ｎ＋ｉ番目の時間領域リソースユニットの前記周波数領域リソース及び前記時間領域リソースにおいて、前記ネットワークデバイスにより送信された前記ターゲットチャネルを受信するように構成される
ことを特徴とする請求項２９又は３０に記載の端末デバイス。
【請求項３２】
前記第２のリソース指示情報に示す前記時間領域リソースは、
前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む
ことを特徴とする請求項２９〜３１のいずれか１項に記載の端末デバイス。
【請求項３３】
前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである
ことを特徴とする請求項２９〜３１のいずれか１項に記載の端末デバイス。
【請求項３４】
前記第１のリソース指示情報は、前記ｎ＋ｉ番目の時間領域リソースユニットにおいて前記ターゲットチャネルを伝送するための時間領域リソースを示す
ことを特徴とする請求項２９〜３３のいずれか１項に記載の端末デバイス。
【請求項３５】
前記端末デバイスが確定ユニットをさらに含み、
前記確定ユニットは、
前記第１のリソース指示情報に示す時間領域リソースと前記第２のリソース指示情報に示す時間領域リソースとが同じであるかどうかを確定し、
前記第１のリソース指示情報に示す時間領域リソースと前記第２のリソース指示情報に示す時間領域リソースとが異なる場合、前記第２のリソース指示情報に示す前記時間領域リソースを利用して前記ターゲットチャネルを伝送すると確定するように構成される
ことを特徴とする請求項３４に記載の端末デバイス。
【請求項３６】
前記端末デバイスが確定ユニットをさらに含み、
前記確定ユニットは、
前記第２のリソース指示情報に応じて、前記第１のリソース指示情報に示す時間領域リソースの範囲において、前記ターゲットチャネルを伝送するための前記時間領域リソースを確定するように構成される
ことを特徴とする請求項３４に記載の端末デバイス。
【請求項３７】
前記受信ユニットは、
前記第１の時刻の後の第２の時刻において、予め設定された周波数領域リソースにおいて前記ネットワークデバイスにより送信された前記第２のリソース指示情報を受信するように構成される
ことを特徴とする請求項２９〜３６のいずれか１項に記載の端末デバイス。
【請求項３８】
前記第１のリソース指示情報が、前記第２のリソース指示情報を受信するための前記第２の時刻及び前記予め設定された周波数領域リソースを含み、
前記確定ユニットは、さらに、
前記受信ユニットが前記ネットワークデバイスにより送信された第２のリソース指示情報を受信する前に、前記第１のリソース指示情報に応じて、前記第２のリソース指示情報を受信するための前記第２の時刻及び前記予め設定された周波数領域リソースを確定するように構成される
ことを特徴とする請求項３７に記載の端末デバイス。
【請求項３９】
前記第２のリソース指示情報は、前記端末デバイスの専有情報である
ことを特徴とする請求項２９〜３８のいずれか１項に記載の端末デバイス。
【請求項４０】
前記ｎ番目の時間領域リソースユニットは、
ｎ番目のスロット、ｎ番目のミニスロット、及びｎ番目のサブフレームのうちの少なくとも１つを含む
ことを特徴とする請求項２９〜３９のいずれか１項に記載の端末デバイス。
【請求項４１】
前記受信ユニットが前記第１のリソース指示情報を受信する物理チャネルは、前記第２のリソース指示情報を受信する物理チャネルと異なる
ことを特徴とする請求項２９〜４０のいずれか１項に記載の端末デバイス。
【請求項４２】
前記データチャネルは、
上りデータチャネル、下りデータチャネル、及びサイドリンクデータチャネルのうちの少なくとも１つを含む
ことを特徴とする請求項２９〜４１のいずれか１項に記載の端末デバイス。
【請求項４３】
第１の時刻において端末デバイスに第１のリソース指示情報を送信するように構成される送信ユニットを含み、
前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記送信ユニットは、さらに、前記第１の時刻の後の第２の時刻において、前記端末デバイスに第２のリソース指示情報を送信するように構成され、
前記第２のリソース指示情報が、前記ｎ＋ｉ番目の時間領域リソースユニットにおいて前記ターゲットチャネルを伝送するための時間領域リソースを示す
ことを特徴とするネットワークデバイス。
【請求項４４】
前記ｎ＋ｉ番目の時間領域リソースユニットにおいて前記ターゲットチャネルを伝送するための前記時間領域リソースは、前記ネットワークデバイスが前記第１の時刻の後に確定したものである
ことを特徴とする請求項４３に記載のネットワークデバイス。
【請求項４５】
前記ネットワークデバイスは、受信ユニットをさらに含み、
前記受信ユニットは、
前記ｎ＋ｉ番目の時間領域リソースユニットの前記周波数領域リソース及び前記時間領域リソースにおいて、前記端末デバイスにより送信された前記ターゲットチャネルを受信するように構成され、
前記送信ユニットは、さらに、前記ｎ＋ｉ番目の時間領域リソースユニットの前記周波数領域リソース及び前記時間領域リソースにおいて、前記端末デバイスに前記ターゲットチャネルを送信するように構成される
ことを特徴とする請求項４３又は４４に記載のネットワークデバイス。
【請求項４６】
前記第２のリソース指示情報に示す前記時間領域リソースは、
前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む
ことを特徴とする請求項４３〜４５のいずれか１項に記載のネットワークデバイス。
【請求項４７】
前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである
ことを特徴とする請求項４３〜４５のいずれか１項に記載のネットワークデバイス。
【請求項４８】
前記第１のリソース指示情報は、前記ｎ＋ｉ番目の時間領域リソースユニットにおいて前記ターゲットチャネルを伝送するための時間領域リソースを示す
ことを特徴とする請求項４３〜４７のいずれか１項に記載のネットワークデバイス。
【請求項４９】
前記ネットワークデバイスは、確定ユニットをさらに含み、
前記確定ユニットは、
前記第１のリソース指示情報に示す時間領域リソースと前記第２のリソース指示情報に示す時間領域リソースとが同じであるかどうかを確定し、
前記第１のリソース指示情報に示す時間領域リソースと前記第２のリソース指示情報に示す時間領域リソースとが異なる場合、前記第２のリソース指示情報に示す前記時間領域リソースを利用して前記ターゲットチャネルを伝送すると確定するように構成される
ことを特徴とする請求項４８に記載のネットワークデバイス。
【請求項５０】
前記ネットワークデバイスは、確定ユニットをさらに含み、
前記確定ユニットは、
前記第２のリソース指示情報に応じて、前記第１のリソース指示情報に示す時間領域リソースの範囲において、前記ターゲットチャネルを伝送するための前記時間領域リソースを確定するように構成される
ことを特徴とする請求項４８に記載のネットワークデバイス。
【請求項５１】
前記送信ユニットは、
前記第１の時刻の後の第２の時刻において、予め設定された周波数領域リソースにおいて前記端末デバイスに前記第２のリソース指示情報を送信するように構成される
ことを特徴とする請求項４３〜５０のいずれか１項に記載のネットワークデバイス。
【請求項５２】
前記第１のリソース指示情報が、前記第２のリソース指示情報を受信するための前記第２の時刻及び前記予め設定された周波数領域リソースを含み、前記確定ユニットは、さらに、
前記送信ユニットが前記端末デバイスに前記第２のリソース指示情報を送信する前に、前記第２のリソース指示情報を受信するための前記第２の時刻及び前記予め設定された周波数領域リソースを確定するように構成される
ことを特徴とする請求項５１に記載のネットワークデバイス。
【請求項５３】
前記第２のリソース指示情報は、前記端末デバイスの専有情報である
ことを特徴とする請求項４３〜５２のいずれか１項に記載のネットワークデバイス。
【請求項５４】
前記ｎ番目の時間領域リソースユニットは、
ｎ番目のスロット、ｎ番目のミニスロット、及びｎ番目のサブフレームのうちの少なくとも１つを含む
ことを特徴とする請求項４３〜５３のいずれか１項に記載のネットワークデバイス。
【請求項５５】
前記ネットワークデバイスが前記第１のリソース指示情報を送信する物理チャネルは、前記第２のリソース指示情報を送信する物理チャネルと異なる
ことを特徴とする請求項４３〜５４のいずれか１項に記載のネットワークデバイス。
【請求項５６】
前記データチャネルは、
上りデータチャネル、下りデータチャネル、及びサイドリンクデータチャネルのうちの少なくとも１つを含む
ことを特徴とする請求項４３〜５５のいずれか１項に記載のネットワークデバイス。
【発明の詳細な説明】
【技術分野】
【０００１】
本願の実施例は、無線通信分野に関し、具体的に、データ伝送方法、端末デバイス及びネットワークデバイスに関する。
【背景技術】
【０００２】
５Ｇニューラジオ（Ｎｅｗ Ｒａｄｉｏ：ＮＲ）システムでは、１つの時間領域スケジューリングユニット、例えば、スロット（ｓｌｏｔ）またはミニスロット（ｍｉｎｉ-ｓｌｏｔ）などの内のいくつかのシンボルを使用して、制御チャネルを伝送し、他のシンボルを使用してデータチャネルを伝送し、さらに、１つの時間領域スケジューリングユニットの一部のシンボルを利用して下りチャネルを伝送し、他のシンボルを利用して上りチャネルを伝送することをサポートする。１つの時間領域スケジューリングユニットにおいて、どのシンボルを使用して制御チャネルを伝送し、どのシンボルを使用してデータチャネルを伝送することは、基地局が下り制御情報（Ｄｏｗｎｌｉｎｋ Ｃｏｎｔｒｏｌ Ｉｎｆｏｒｍａｔｉｏｎ：ＤＣＩ）を介して端末に指示する。
【０００３】
また、５Ｇシステムでは、スロットを跨ってスケジューリングすることがサポートされており、つまり、ｎ＋ｉ番目のスロットのデータチャネルの送信（ｎ、ｉは正の整数）は、ｎ番目のスロットで送信されるＤＣＩによってスケジュールされる。しかし、基地局は、ｎ番目のスロットにおいて、ｎ＋ｉ番目のスロットで制御チャネルまたはデータチャネルを伝送するための時間領域リソースの位置を確定していない場合、ｎ＋ｉ番目のスロットでのチャネル伝送を事前にリソーススケジューリングすることができない。
【発明の概要】
【０００４】
本願の実施例は、端末デバイスが上り／下りチャネルを伝送するリソースを事前スケジューリングすることができるデータ伝送方法、端末デバイス及びネットワークデバイスを提供する。
【０００５】
第１の形態は、データ伝送方法を提供し、端末デバイスが、第１の時刻において、ネットワークデバイスにより送信された第１のリソース指示情報を受信することと、前記端末デバイスが前記第１の時刻の後の第２の時刻において、前記ネットワークデバイスにより送信された第２のリソース指示情報を受信することとを含み、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、前記第２のリソース指示情報が、前記ｎ＋ｉ番目の時間領域リソースユニットにおいて前記ターゲットチャネルを伝送するための時間領域リソースを示す。
【０００６】
そして、端末デバイスは、伝送リソース情報が含まれる下り制御情報を受信した後、ネットワークデバイスにより追加されて送信された、上り／下りチャネルのリソースを示す指示情報を受信することで、事前スケジューリングの上で、上り／下りチャネルを伝送するためのリソース位置を正確に把握することができる。
【０００７】
なお、本願の実施例では、ｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる。
【０００８】
任意選択で、第１の形態の実現可能な方式において、前記ｎ＋ｉ番目の時間領域リソースユニットにおいて前記ターゲットチャネルを伝送するための前記時間領域リソースは、前記ネットワークデバイスが前記第１の時刻の後に確定したものである。
【０００９】
任意選択で、第１の形態の実現可能な方式において、前記方法は、さらに、前記端末デバイスが前記ｎ＋ｉ番目の時間領域リソースユニットの前記周波数領域リソース及び前記時間領域リソースにおいて、前記ネットワークデバイスに前記ターゲットチャネルを送信し、又は前記ネットワークデバイスにより送信された前記ターゲットチャネルを受信することを含む。
【００１０】
任意選択で、第１の形態の実現可能な方式において、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【００１１】
任意選択で、第１の形態の実現可能な方式において、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【００１２】
任意選択で、第１の形態の実現可能な方式において、前記第１のリソース指示情報は、前記ｎ＋ｉ番目の時間領域リソースユニットにおいて前記ターゲットチャネルを伝送するための時間領域リソースを示す。
【００１３】
任意選択で、第１の形態の実現可能な方式において、前記方法は、さらに、前記端末デバイスが前記第１のリソース指示情報に示す時間領域リソースと、前記第２のリソース指示情報に示す時間領域リソースとが同じであるかどうかを確定することと、前記第１のリソース指示情報に示す時間領域リソースと前記第２のリソース指示情報に示す時間領域リソースとが異なる場合、前記端末デバイスが前記第２のリソース指示情報に示す前記時間領域リソースを利用して前記ターゲットチャネルを伝送すると確定することとを含む。
【００１４】
任意選択で、第１の形態の実現可能な方式において、前記方法は、さらに、前記端末デバイスが前記第２のリソース指示情報に応じて、前記第１のリソース指示情報に示す時間領域リソースの範囲において、前記ターゲットチャネルを伝送するための前記時間領域リソースを確定することを含む。
【００１５】
任意選択で、第１の形態の実現可能な方式において、前記端末デバイスが前記第１の時刻の後の第２の時刻において、前記ネットワークデバイスにより送信された第２のリソース指示情報を受信することは、前記端末デバイスが前記第１の時刻の後の第２の時刻において、予め設定された周波数領域リソースにおいて前記ネットワークデバイスにより送信された前記第２のリソース指示情報を受信することを含む。
【００１６】
任意選択で、第１の形態の実現可能な方式において、前記第１のリソース指示情報が、前記第２のリソース指示情報を受信するための前記第２の時刻及び前記予め設定された周波数領域リソースを含み、前記端末デバイスが前記ネットワークデバイスにより送信された第２のリソース指示情報を受信する前に、前記方法は、さらに、前記端末デバイスが前記第１のリソース指示情報に応じて、前記第２のリソース指示情報を受信するための前記第２の時刻及び前記予め設定された周波数領域リソースを確定することを含む。
【００１７】
任意選択で、第１の形態の実現可能な方式において、前記第２のリソース指示情報は、前記端末デバイスの専有情報である。
【００１８】
任意選択で、第１の形態の実現可能な方式において、前記ｎ番目の時間領域リソースユニットは、ｎ番目のスロット、ｎ番目のミニスロット、及びｎ番目のサブフレームのうちの少なくとも１つを含む。
【００１９】
任意選択で、第１の形態の実現可能な方式において、前記端末デバイスが前記第１のリソース指示情報を受信する物理チャネルは、前記第２のリソース指示情報を受信する物理チャネルと異なる。
【００２０】
任意選択で、第１の形態の実現可能な方式において、前記データチャネルは、上りデータチャネル、下りデータチャネル、及びサイドリンクデータチャネルのうちの少なくとも１つを含む。
【００２１】
第２の形態は、データ伝送方法を提供し、ネットワークデバイスが第１の時刻において端末デバイスに第１のリソース指示情報を送信することと、前記ネットワークデバイスが前記第１の時刻の後の第２の時刻において、前記端末デバイスに第２のリソース指示情報を送信することとを含み、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、前記第２のリソース指示情報が、前記ｎ＋ｉ番目の時間領域リソースユニットにおいて前記ターゲットチャネルを伝送するための時間領域リソースを示す。
【００２２】
そして、ネットワークデバイスは、伝送リソース情報が含まれる下り制御情報を端末デバイスに送信した後、上り/下りチャネルの伝送を示すリソース指示情報を端末デバイスに追加して送信することで、端末デバイスへの事前リソーススケジューリングの上で、上り/下りチャネルを伝送るためのリソース位置を端末デバイスに正確に通知することができる。
【００２３】
なお、本願の実施例では、ｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる。
【００２４】
任意選択で、第２の形態の可能な方式において、前記ｎ＋ｉ番目の時間領域リソースユニットにおいて前記ターゲットチャネルを伝送するための前記時間領域リソースは、前記ネットワークデバイスが前記第１の時刻の後に確定したものである。
【００２５】
任意選択で、第２の形態の可能な方式において、前記方法は、さらに、前記ネットワークデバイスが前記ｎ＋ｉ番目の時間領域リソースユニットの前記周波数領域リソース及び前記時間領域リソースにおいて、前記端末デバイスにより送信された前記ターゲットチャネルを受信し、又は前記端末デバイスに前記ターゲットチャネルを送信することとを含む。
【００２６】
任意選択で、第２の形態の可能な方式において、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【００２７】
任意選択で、第２の形態の可能な方式において、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【００２８】
任意選択で、第２の形態の可能な方式において、前記第１のリソース指示情報は、前記ｎ＋ｉ番目の時間領域リソースユニットにおいて前記ターゲットチャネルを伝送するための時間領域リソースを示す。
【００２９】
任意選択で、第２の形態の可能な方式において、前記方法は、さらに、前記ネットワークデバイスが、前記第１のリソース指示情報に示す時間領域リソースと前記第２のリソース指示情報に示す時間領域リソースとが同じであるかどうかを確定することと、前記第１のリソース指示情報に示す時間領域リソースと前記第２のリソース指示情報に示す時間領域リソースとが異なる場合、前記ネットワークデバイスが、前記第２のリソース指示情報に示す前記時間領域リソースを利用して前記ターゲットチャネルを伝送すると確定することとを含む。
【００３０】
任意選択で、第２の形態の可能な方式において、前記方法は、さらに、前記ネットワークデバイスが前記第２のリソース指示情報に応じて、前記第１のリソース指示情報に示す時間領域リソースの範囲において、前記ターゲットチャネルを伝送するための前記時間領域リソースを確定することを含む。
【００３１】
任意選択で、第２の形態の可能な方式において、前記ネットワークデバイスが前記第１の時刻の後の第２の時刻において、前記端末デバイスに第２のリソース指示情報を送信することは、前記ネットワークデバイスが前記第１の時刻の後の第２の時刻において、予め設定された周波数領域リソースにおいて前記端末デバイスに前記第２のリソース指示情報を送信することを含む。
【００３２】
任意選択で、第２の形態の可能な方式において、前記第１のリソース指示情報が、前記第２のリソース指示情報を受信するための前記第２の時刻及び前記予め設定された周波数領域リソースを含み、前記ネットワークデバイスが前記端末デバイスに前記第２のリソース指示情報を送信する前に、前記方法は、さらに、前記ネットワークデバイスが前記第２のリソース指示情報を受信するための前記第２の時刻及び前記予め設定された周波数領域リソースを確定することを含む。
【００３３】
任意選択で、第２の形態の可能な方式において、前記第２のリソース指示情報は、前記端末デバイスの専有情報である。
【００３４】
任意選択で、第２の形態の可能な方式において、前記ｎ番目の時間領域リソースユニットは、ｎ番目のスロット、ｎ番目のミニスロット、及びｎ番目のサブフレームのうちの少なくとも１つを含む。
【００３５】
任意選択で、第２の形態の可能な方式において、前記ネットワークデバイスが前記第１のリソース指示情報を送信する物理チャネルは、前記第２のリソース指示情報を送信する物理チャネルと異なる。
【００３６】
任意選択で、第２の形態の可能な方式において、前記データチャネルは、上りデータチャネル、下りデータチャネル、及びサイドリンクデータチャネルのうちの少なくとも１つを含む。
【００３７】
第３の形態は、端末デバイスを提供し、当該端末デバイスは、上記の第１の形態又は第１の形態の任意可能な形態の端末デバイスの操作を実行する。具体的に、当該端末デバイスは、上記の第１の形態又は第１の形態の任意可能な形態の端末デバイスの操作を実行するためのモジュールユニットを含む。
【００３８】
第４の形態は、ネットワークデバイスを提供し、当該ネットワークデバイスは、上記の第２の形態又は第２の形態の任意可能な形態のネットワークデバイスの操作を実行する。具体的に、当該ネットワークデバイスは、上記の第２の形態又は第２の形態の任意可能な形態のネットワークデバイスの操作を実行するためのモジュールユニットを含む。
【００３９】
第５の形態では、端末デバイスが提供され、端末デバイスは、プロセッサ、トランシーバ、およびメモリを備える。プロセッサ、トランシーバ、およびメモリは、内部接続パスを介して互いに通信する。メモリは命令を記憶し、プロセッサはメモリに記憶された命令を実行する。プロセッサがメモリに保存された命令を実行するとき、実行により、端末デバイスは、第１の形態または第１の形態の可能な方法を実行し、または実行により、端末デバイスに第３の形態により提供される端末デバイスを実現させる。
【００４０】
第６の形態では、ネットワークデバイスが提供され、ネットワークデバイスは、プロセッサ、トランシーバ、およびメモリを備える。プロセッサ、トランシーバ、およびメモリは、内部接続パスを介して互いに通信する。メモリは命令を記憶し、プロセッサはメモリに記憶された命令を実行する。プロセッサがメモリに保存された命令を実行するとき、実行により、ネットワークデバイスは、第２の形態または第２の形態の可能な方法を実行し、または実行により、ネットワークデバイスに第４の形態により提供されるネットワークデバイスを実現させる。
【００４１】
第７の形態では、コンピュータ可読記憶媒体が提供され、コンピュータ可読記憶媒体は、ネットワークデバイスに上記の第１の形態を実行させ、そのデータ伝送方法を実現させるプログラムを記憶する。
【００４２】
第８の形態では、コンピュータ可読記憶媒体が提供され、コンピュータ可読記憶媒体は、ネットワークデバイスに上記の第２の形態を実行させ、そのデータ伝送方法を実現させるプログラムを記憶する。
【００４３】
第９の形態では、システムチップが提供され、システムチップは、入力インターフェース、出力インターフェース、プロセッサ、およびメモリを備え、プロセッサは、メモリによって格納された命令を実行するように構成され、命令が実行されると、プロセッサは上記の第１の形態及びその実現方式の方法を実現する
第１０の形態では、システムチップが提供され、システムチップは、入力インターフェース、出力インターフェース、プロセッサ、およびメモリを備え、プロセッサは、メモリによって格納された命令を実行するように構成され、命令が実行されると、プロセッサは上記の第２の形態及びその実現方式の方法を実現する
【図面の簡単な説明】
【００４４】
【図１】本願の実施例における応用シーンの模式図である。
【図２】従来技術におけるＰＤＳＣＨのリソース構成の模式図である。
【図３】従来技術におけるＰＤＳＣＨのリソース構成の模式図である。
【図４】従来技術におけるＰＵＳＣＨのリソース構成の模式図である。
【図５】従来技術におけるＰＵＳＣＨのリソース構成の模式図である。
【図６】本願の実施例におけるデータ伝送方法のフローチャートである。
【図７】本願の実施例におけるＰＤＳＣＨのリソース構成の模式図である。
【図８】本願の実施例におけるＰＤＳＣＨのリソース構成の模式図である。
【図９】本願の実施例におけるＰＵＳＣＨのリソース構成の模式図である。
【図１０】本願の実施例におけるＰＵＳＣＨのリソース構成の模式図である。
【図１１】本願の実施例におけるデータ伝送方法のフローチャートである。
【図１２】本願の実施例におけるＰＤＳＣＨの複数のスロットのリソース構成の模式図である。
【図１３】本願の実施例における端末デバイスのブロック図である。
【図１４】本願の実施例におけるネットワークデバイスのブロック図である。
【図１５】本願の実施例における端末デバイスの構成図である。
【図１６】本願の実施例におけるネットワークデバイスの構成図である。
【図１７】本願の実施例におけるシステムチップの構成図である。
【発明を実施するための形態】
【００４５】
以下は、本願の適用例における技術的解決策の明確かつ完全な説明である。
【００４６】
本願の実施例の技術的解決策は、移動通信システムのグローバルシステム（ＧＳＭ）システム、シンボル分割多元接続（ＣＤＭＡ）システム、広帯域シンボル分割多元接続（ＷＣＤＭＡ）システム、一般パケット無線サービス（ＧＰＲＳ）、ロングタームエボリューション（ＬＴＥ）システム、ＬＴＥ周波数分割二重（ＦＤＤ）システム、ＬＴＥ時分割複信（ＴＤＤ）、ユニバーサルモバイルテレコミュニケーションシステム（ＵＭＴＳ）、または将来の５Ｇシステムに適用できることを理解されたい。
【００４７】
本願の実施例における端末デバイスは、ユーザ機器（ＵＥ）、アクセス端末、加入者ユニット、加入者局、移動局、移動局、遠隔局、遠隔端末、モバイルデバイス、ユーザ端末、端末、無線デバイス、 通信デバイス、ユーザーエージェント、またはユーザーデバイス。アクセス端末は、携帯電話、コードレス電話、セッション開始プロトコル（ＳＩＰ）電話、無線ローカルループ（ＷＬＬ）ステーション、携帯情報端末（ＰＤＡ）、無線通信を備える端末、ワイヤレスモデム、車載デバイス、ウェアラブルデバイス、将来の５Ｇネットワークの端末デバイス、またはＰｕｂｌｉｃ Ｌａｎｄ Ｍｏｂｉｌｅ Ｎｅｔｗｏｒｋ（ＰＬＭＮ）の将来のデバイスであってもよい。
【００４８】
本願の実施例におけるネットワークデバイスは、端末デバイスと通信するためのデバイスであっても良く、ＧＳＭまたはＣＤＭＡにおける基地トランシーバ局（ＢＴＳ）であっても良く、またはＷＣＤＭＡシステムにおける基地局（ＮｏｄｅＢ、ＮＢ）、ＬＴＥシステムの進化した基地局（ｅＮＢまたはｅＮｏｄｅＢ）、クラウド無線アクセスネットワーク（ＣＲＡＮ）シナリオのワイヤレスコントローラー、中継局、アクセスポイント、車載デバイス、ウェアラブルデバイス、および将来の５Ｇネットワークのネットワークデバイス、または将来の進化したＰＬＭＮネットワークのネットワークデバイスであっても良い。
【００４９】
図１は、本願の実施例の適用シーンの模式図である。図１の通信システムは、端末デバイス２０およびネットワークデバイス１０を含み得る。ネットワークデバイス１０は、端末デバイス２０に通信サービスを提供し、コアネットワークにアクセスするように構成されている。端末デバイス２０は、ネットワークデバイス１０が送信する同期信号、ブロードキャスト信号などを検索してネットワークにアクセスし、ネットワークと通信する。図１に示される矢印は、端末デバイス２０とネットワークデバイス１０との間のセルラーリンクを介したアップリンク／ダウンリンクを表してもよい。
【００５０】
本願の実施例におけるネットワークは、公衆陸上移動ネットワーク（ＰＬＭＮ）またはデバイスツーデバイス（Ｄ２Ｄ）ネットワークまたはマシンツーマシン（マシンツーマシン）、（Ｍａｃｈｉｎｅ ｔｏ Ｍａｃｈｉｎｅ／Ｍａｎ：Ｍ２Ｍ）ネットワークまたは他のネットワークであってもよく、図１が簡略化された概略図に過ぎず、ネットワークに図２に示されていない他の端末デバイスも含むことができる。
【００５１】
現在のロングタームエボリューション(Ｌｏｎｇ Ｔｅｒｍ Ｅｖｏｌｕｔｉｏｎ：ＬＴＥ)システムのシステム帯域幅全体にわたって、物理下り制御チャネル(Ｐｈｙｓｉｃａｌ Ｄｏｗｎｌｉｎｋ Ｃｏｎｔｒｏｌ Ｃｈａｎｎｅｌ：ＰＤＣＣＨ)が、１つのサブフレーム中の前のいくつかのシンボルを占有して伝送し、ＰＤＣＣＨが占有するシンボル数は、同じサブフレーム中の物理制御フォーマット指示チャネル(Ｐｈｙｓｉｃａｌ Ｃｏｎｔｒｏｌ Ｆｏｒｍａｔ Ｉｎｄｉｃａｔｏｒ Ｃｈａｎｎｅｌ：ＰＣＦＩＣＨ)によって指示され、したがって、物理下り共有チャネル(Ｐｈｙｓｉｃａｌ Ｄｏｗｎｌｉｎｋ Ｓｈａｒｅｄ ＣＨａｎｎｅｌ：ＰＤＳＣＨ)が、１つのサブフレーム内でどのシンボルを占有するかは、同じサブフレーム中でＰＣＦＩＣＨによって指示されるＰＤＣＣＨが占有するシンボルの情報から導出されることができるが、端末に指示する必要としない。
【００５２】
しかし、５ＧＮＲ( Ｎｅｗ Ｒａｄｉｏ)システムでは、１つの時間領域リソースユニット、または時間領域スケジューリング単位、例えばスロット（ｓｌｏｔ）、ミニスロット（ｍｉｎｉ−ｓｌｏｔ）において、いくつかのシンボルがＰＤＣＣＨで存在することもあり得るが、具体的には、いくつかのシンボルがＰＤＣＣＨを伝送するために使用されるか、各リソースブロック(Ｐｈｙｓｉｃａｌ Ｒｅｓｏｕｒｃｅ Ｂｌｏｃｋ：ＰＲＢ)に異なってもよい。基地局からあるＰＲＢにおいて端末にＰＤＳＣＨが伝送される場合、そのＰＲＢ内でＰＤＳＣＨを伝送するための開始シンボルは、下り制御情報(Ｄｏｗｎｌｉｎｋ Ｃｏｎｔｒｏｌ Ｉｎｆｏｒｍａｔｉｏｎ：ＤＣＩ)によって指示されてもよい。また、５Ｇシステムでは、「双方向スロット」をサポートし、すなわち、１つのスロットの前半は下り伝送に用いられ、後半は上り伝送に用いられることができるので、１つのスロットの最後のいくつかのシンボルは、ＰＤＳＣＨではなく、物理上りリンク制御チャネル(Ｐｈｙｓｉｃａｌ Ｕｐｌｉｎｋ Ｃｏｎｔｒｏｌ Ｃｈａｎｎｅｌ：ＰＵＣＣＨ)などの上りチャネルの伝送に用いられることがあり、そのスロットでそのＰＵＣＣＨが占有するシンボル数もＤＣＩによって指示されてもよい。したがって、５Ｇシステムにおける１つのスロット内のどのシンボルがＰＤＳＣＨの送信に使用されるかも、ＤＣＩによって知られることができる。
【００５３】
物理上り共有チャネル(Ｐｈｙｓｉｃａｌ Ｕｐｌｉｎｋ Ｓｈａｒｅｄ Ｃｈａｎｎｅｌ：ＰＵＳＣＨ)は、ＬＴＥシステムにおいて、１つのサブフレーム内で何シンボルを占めるかがフレーム構造から静的に確定されるため、基地局で端末に割り当てられるＰＵＳＣＨを伝送するためのリソースは、サブフレーム内でリソース位置が完全に確定され、端末に別途指示する必要がない。しかしながら、５Ｇシステムでは、１つの時間領域リソースユニットにおいて、基地局が端末のためにあるＰＲＢをスケジューリングした後、そのＰＲＢ内のＰＵＳＣＨが時間領域リソースユニット全体を占有する可能性があり、その時間領域リソースユニットのうちのいくつかのシンボルだけが占有される可能性もあり、他のシンボルはＰＵＣＣＨ、ＰＤＣＣＨ等の他のチャネルによって占有される。したがって、５Ｇシステムでは、ＰＵＣＣＨ、ＰＤＣＣＨなどを伝送するためのリソース位置がＤＣＩによって示される。
【００５４】
また、５Ｇシステムでは、スロットを跨ってスケジューリングすることがサポートされており、つまり、ｎ＋ｉ番目のスロットのデータチャネルの送信（ｎ、ｉは正の整数）は、ｎ番目のスロットで送信されるＤＣＩによってスケジュールされる。しかし、基地局は、ｎ番目のスロットにおいて、ｎ＋ｉ番目のスロットで制御チャネルまたはデータチャネルを伝送するための時間領域リソースの位置を確定していない場合、ｎ＋ｉ番目のスロットでのデータチャネルをスケジューリングすることができない。
【００５５】
例えば、図２に示されるＰＤＳＣＨのリソース構成の方式のように、ｎ＋ｉ番目のスロットの開始のシンボルが下り制御チャネルＰＤＣＣＨによって占有されており、基地局がＰＤＣＣＨを伝送するための時間領域リソースの長さを特定する時刻Ｔ２が、ｎ番目のスロットにおけるＤＣＩ(ＰＤＳＣＨを搬送する下りリソース構成(Ｄｏｗｎｌｏａｄ Ａｓｓｉｇｎｍｅｎｔ：ＤＬ Ａｓｓｉｇｎｍｅｎｔ)の情報)が送信される時刻Ｔ１よりも遅いと、端末デバイスは、受信したＤＬ ＡｓｓｉｇｎｍｅｎｔからＰＤＣＣＨを伝送するための時間領域リソースの位置、つまりＰＤＳＣＨを伝送するための正確な時間領域リソースの位置を予め知ることができなくなる。
【００５６】
また、例えば、図３に示すＰＤＳＣＨのリソース構成の方式のように、ｎ＋ｉ番目のスロットの開始のシンボルは下り制御チャネルＰＤＣＣＨで占められ、ｎ＋ｉ番目のスロットの末尾のシンボルは上り制御チャネルＰＵＣＣＨで占められ、基地局が、そのスロットの末尾でＰＵＣＣＨを伝送するか否かを確定するタイミング、または、基地局が、そのスロットにおいてＰＵＣＣＨを伝送する時間領域リソースの長さを確定するタイミングＴ２が、ｎ番目のスロットにおけるＤＣＩ (ＰＤＳＣＨを搬送するＤＬ Ａｓｓｉｇｎｍｅｎｔの情報)送信のタイミングＴ１よりも遅い場合、端末デバイスは、受信したＤＬ Ａｓｓｉｇｎｍｅｎｔから、そのスロットにおける上りチャネルの有無およびその上りチャネルを伝送する時間領域リソースの位置を予め知ることができず、ＰＤＳＣＨを伝送するための正確な時間領域リソースの位置を予め知ることができない。
【００５７】
また、例えば、図４に示すＰＵＳＣＨのリソース構成の方式のように、ｎ＋ｉ番目のスロットの一部のシンボルが上り制御チャネルＰＵＣＣＨで占有され、基地局がＰＵＣＣＨを伝送するための時間領域リソースの長さを確定する時刻Ｔ２が、ｎ番目のスロットにおけるＤＣＩ (ＰＵＳＣＨを搬送する上りリソース構成(Ｕｐｌｉｎｋ Ｇｒａｎｔ：ＵＬ Ｇｒａｎｔ)の情報)が送信される時刻Ｔ１よりも遅い場合、端末デバイスは、受信したＤＬ ＡｓｓｉｇｎｍｅｎｔからＰＵＣＣＨを伝送するための時間領域リソースの位置、すなわちＰＵＳＣＨを伝送するための正確な時間領域リソースの位置を予め知ることができなくなる。
【００５８】
また、例えば、図５に示すＰＵＳＣＨのリソース構成の方式のように、ｎ＋ｉ番目のスロットの開始のシンボルが上り制御チャネルＰＤＣＣＨで占有され、かつ、そのスロット中の一部のシンボルが上りチャネル、例えばＰＵＣＣＨで占有され、基地局がそのスロットの開始で下りチャネルを伝送するか否かを特定する時刻、又は基地局がそのスロット中でその下りチャネルを伝送するための時間領域リソースの長さを特定する時刻Ｔ２が、ｎ番目のスロット中のＤＣＩ(ＰＵＳＣＨを搬送するＵＬ Ｇｒａｎｔの情報)送信の時刻Ｔ１より遅い場合、端末デバイスは、受信したＵＬ Ｇｒａｎｔからそのスロットにおける上りチャネルの有無およびその上りチャネルを伝送するための時間領域リソースの位置を予め知ることができず、ＰＵＳＣＨを伝送するための正確な時間領域リソースの位置も予め知ることができない。
【００５９】
図６は本願の実施例におけるデータ伝送方法６００のフローチャートである。図６のデータ伝送方法は、端末デバイス、例えば図１の端末デバイス２０により実行されてもよい。図６に示すように、当該データ伝送プロセスは、６１０〜６３０を含む。
【００６０】
６１０において、端末デバイスが、第１の時刻において、ネットワークデバイスにより送信された第１のリソース指示情報を受信する。
【００６１】
ここで、当該第１の時刻は、ｎ番目の時間領域リソースユニットに位置し、当該第１のリソース指示情報は、ｎ＋ｉ番目の時間領域リソースユニットにおいて端末デバイスのターゲットチャネルを伝送するための周波数領域リソースを示し、当該ターゲットチャネルは、端末デバイスのデータチャネル又は制御チャネルを含み、ｎとｉとが、正の整数である。
【００６２】
具体的に、端末デバイスは、ｎ番目の時間領域リソースユニット（時間領域スケジューリング単位）の第１の時刻において、ネットワークデバイスにより送信された第１のリソース指示情報を受信し、当該第１のリソース指示情報は、ｎ＋ｉ番目の時間領域リソースユニットにおいて前記端末デバイスのターゲットチャネルを伝送するための周波数領域リソースを示す。つまり、ｎ番目の時間領域リソースユニットで送信された第１のリソース指示情報は、ｎ＋ｉ番目の時間領域リソースユニットにおいてターゲットチャネルが伝送する周波数領域リソースをスケジューリングしたものである。このように、スロットを跨ってスケジューリングして、端末デバイスがその後のデータ伝送に十分な時間を備えている。
【００６３】
なお、本願の実施例において、ｎ番目の時間領域リソースユニットとｎ＋ｉ番目の時間領域リソースユニットとは、２つの時間領域リソースユニットの間の時間領域の位置関係を示し、ｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる
任意選択で、端末デバイスのデータチャネルは、上りデータチャネル、下りデータチャネル、及びサイドリンクデータチャネルのうちの少なくとも１つを含む。
【００６４】
６２０において、端末デバイスは、前記第１の時刻の後の第２の時刻において、前記ネットワークデバイスにより送信された第２のリソース指示情報を受信する。
【００６５】
ここで、当該第２のリソース指示情報は、ｎ＋ｉ番目の時間領域リソースユニットにおいて当該データチャネルを伝送するための時間領域リソースを示す。
【００６６】
任意選択で、ｎ＋ｉ番目の時間領域リソースユニットにおいて当該ターゲットチャネルを伝送するための当該時間領域リソースは、ネットワークデバイスが前記第１の時刻の後に確定したものである。
【００６７】
任意選択で、当該第２のリソース指示情報は、当該端末デバイスの専有情報（ＵＥ ｓｐｅｃｉｆｉｃ）である。
【００６８】
任意選択で、当該ｎ番目の時間領域リソースユニットは、ｎ番目のスロット、ｎ番目のミニスロット、及びｎ番目のサブフレームのうちの少なくとも１つを含む。
【００６９】
５Ｇシステムにおいて、時間領域リソースユニットは、スロット（ｓｌｏｔ）、ミニスロット（ｍｉｎｉ−ｓｌｏｔ、又はマイクロスロット）、又はサブフレーム（ｓｕｂｆｒａｍｅ）であってもよい。ｎ番目の時間領域リソースユニットは、ｎ番目のスロット、ｎ番目のミニスロット、及びｎ番目のサブフレームであってもよく、ｎ＋ｉ番目の時間領域リソースユニットは、ｎ＋ｉ番目のスロット、ｎ＋ｉ番目のミニスロット及びｎ＋ｉ番目のサブフレームであってもよい。
【００７０】
任意選択で、端末デバイスが当該第１のリソース指示情報を受信する物理チャネルは、当該第２のリソース指示情報を受信する物理チャネルとが異なってもよい。
【００７１】
スロットを跨ってスケジューリングする際、ｎ番目のスロットにおいて、ネットワークデバイスは、ｎ＋ｉ番目のスロットにおいて制御チャネル又はデータチャネルを伝送するための時間領域リソース位置を確定しない可能性があり、この場合、ｎ＋ｉ番目のスロットのターゲットチャネルへのスケジューリングを事前に実現することができない。そして、ネットワークデバイスは、まず第１のリソース指示情報を介して、ｎ＋ｉ番目の時間領域リソースユニットにおいて当該ターゲットチャネルを伝送するための周波数領域リソースを指示し、第１の時刻の後の第２の時刻において、ｎ＋ｉ番目の時間領域リソースユニットにおいて当該ターゲットチャネルを伝送するための時間領域リソースを端末デバイスに構成する。第２の時刻において、ネットワークデバイスは、ｎ＋ｉ番目の時間領域リソースユニットにおいて当該ターゲットチャネルを伝送するための時間領域リソースを既に用意した。
【００７２】
端末デバイスは、第１の時刻の後の第２の時刻において、ネットワークデバイスにより送信された第２のリソース指示情報を受信して、ｎ＋ｉ番目の時間領域リソースユニットにおいて当該ターゲットチャネルを伝送するための時間領域リソースを取得するため、第１のリソース指示情報及び第２のリソース指示情報に応じて、ｎ＋ｉ番目の時間領域リソースユニットにおいてターゲットチャネルを伝送するための時間領域リソースを確定することができる。
【００７３】
任意選択で、当該第２のリソース指示情報に示す前記時間領域リソースは、当該ｎ＋ｉ番目の時間領域リソースユニットにおいて当該ターゲットチャネルを伝送するためのシンボルの開始位置、当該ターゲットチャネルを伝送するためのシンボルの数、当該ターゲットチャネルを伝送するためのミニスロット、及び当該ターゲットチャネルを伝送するためのミニスロットの数のうちの少なくとも１つを含む。
【００７４】
具体的には、端末デバイスが受信する第２のリソース指示情報は、ｎ＋ｉ番目の時間領域リソースユニットにおいてターゲットチャネルを伝送するための時間領域リソースが占有するシンボルの開始位置及び/又は占有するシンボルの数を示すことができ、この第２のリソース指示情報は、ターゲットチャネルを伝送するための時間領域リソースがｎ＋ｉ番目の時間領域リソースユニット内で占有するミニスロットの開始位置および/または占有するミニスロットの数を示すこともでき、この時、１つの時間領域リソースユニット内にいくつかのミニスロットが含まれ、且つ、各ミニスロットに複数のシンボルが含まれ、第２のリソース指示情報は、ターゲットチャネルを伝送するための時間領域リソースがｎ＋ｉ番目の時間領域リソースユニットで占有するミニスロットの情報と、当該ミニスロットで占有するシンボルの情報とを示すことができる。これに限定されるものではない。
【００７５】
任意選択で、当該第２のリソース指示情報は、さらに、当該時間領域リソースの識別子を含むことができ、当該第２のリソース指示情報に示す当該時間領域リソースは、予め設定された複数の時間領域リソースのうちの当該識別子に対応する時間領域リソースである。
【００７６】
つまり、ｎ＋ｉ番目の時間領域リソースユニットでターゲットチャネルを伝送するための時間領域リソースは、予め設定された多種の時間領域リソース構成のうちの１つであってもよく、具体的に、時間領域リソースに対応する識別子によって確定されてもよい。例えば、識別子１に対応する時間領域リソースがスロット内の２〜７番目のシンボルであり、識別子２に対応する時間領域リソースがスロット内の３〜７番目のシンボルであり、第２のリソース指示情報に識別子１が含まれる場合、そのスロット内で端末デバイスは２〜７番目のシンボルでターゲットチャネルを伝送する。
【００７７】
任意選択で、当該第１のリソース指示情報は、さらに、当該ｎ＋ｉ番目の時間領域リソースユニットにおいて当該ターゲットチャネルを伝送するための時間領域リソースを示す。
【００７８】
第１のリソース指示情報は、ｎ＋ｉ番目の時間領域リソースユニットにおいて当該ターゲットチャネルを伝送するための周波数領域リソースとともに、当該ｎ＋ｉ番目の時間領域リソースユニットにおいて当該ターゲットチャネルを伝送するための時間領域リソースを示す場合、端末デバイスは、以下の２つの方式で第１のリソース指示情報及び第２のリソース指示情報を連携して処理することができる。
【００７９】
方式１
任意選択で、当該方法は、さらに、端末デバイスは、第１のリソース指示情報に示す時間領域リソースと第２のリソース指示情報に示す時間領域リソースと同じであるかどうかを確定し、第１のリソース指示情報に示す時間領域リソースと第２のリソース指示情報に示す時間領域リソースと異なる場合、端末デバイスは、第２のリソース指示情報に示す当該時間領域リソースを利用して当該ターゲットチャネルを伝送すると確定する。
【００８０】
この実施例において、第１のリソース指示情報に示すｎ＋ｉ番目の時間領域リソースユニットにおいてターゲットチャネルを伝送する時間領域リソースと、第２のリソース指示情報に示すｎ＋ｉ番目の時間領域リソースユニットにおいてデータを伝送する時間領域リソースとは、異なり、又は、競合する場合、端末デバイスは、第２のリソース指示情報に示す当該時間領域リソースを、ｎ＋ｉ番目の時間領域リソースユニットにおいてターゲットチャネルを伝送する時間領域リソースとして選定する。
【００８１】
リソーススケジューリングを行う時、ネットワークデバイスは、第１の時間領域リソースを介して１つの所定の時間領域リソース位置を端末デバイスに指示し、当該所定の時間領域リソース位置は、例えば、統計された端末デバイスの使用する可能性が一番大きいターゲットチャネルの伝送位置であり、第１の時刻の後に、端末デバイスが第２のリソース指示情報を受信しない場合、当該端末デバイスは、第１のリソース指示情報に示す時間領域リソースにおいてターゲットチャネルを伝送すると確定し、第１の時刻の後に、ネットワークデバイスは、ｎ＋ｉ番目の時間領域リソースユニットにおいてターゲットチャネルを伝送するための時間領域リソースを新たに確定した場合、端末デバイスは、ネットワークデバイスが第２の時刻に送信した第２のリソース指示情報を受信し、当該第２のリソース指示情報に示す時間領域リソース位置を基準とし、第２のリソース指示情報に示す時間領域リソースにおいてターゲットチャネルを伝送すると確定する。第２のリソース指示情報は、第１のリソース指示情報の補完又は修正と考えることができ、端末デバイスは、第２のリソース指示情報を受信した場合には第２のリソース指示情報に示す時間領域リソースをターゲットチャネルを伝送するための時間領域リソースとする
方式２
任意選択で、当該方法は、さらに、端末デバイスは、第２のリソース指示情報に応じて、第１のリソース指示情報に示す時間領域リソースの範囲において、当該ターゲットチャネルを伝送するための当該時間領域リソースを確定する。
【００８２】
この実施例において、第１のリソース指示情報に示すｎ＋ｉ番目の時間領域リソースユニットにおいてターゲットチャネルを伝送する時間領域リソースの範囲は、第２のリソース指示情報に示すｎ＋ｉ番目の時間領域リソースユニットにおいてデータを伝送する時間領域リソースより大きい。ネットワークデバイスは、先に、第１のリソース指示情報を介して、時間領域リソースの大体の範囲を端末デバイスに指示し、ｎ＋ｉ番目の時間領域リソースユニットにおいてターゲットチャネルを伝送する時間領域リソースを確定した後、第２のリソース指示情報を介して、ｎ＋ｉ番目の時間領域リソースユニットにおいてターゲットチャネルを伝送する時間領域リソース位置を具体的に指示することができる。
【００８３】
ターゲットチャネルがデータチャネルであることを例とし、時間領域リソースユニットがサブフレームであると仮定し、第１のリソース指示情報に示すｎ＋ｉ番目のサブフレームにおいてデータチャネルを伝送する時間領域リソースは、当該サブフレーム内の１番目のスロットであり、第２のリソース指示情報に示すｎ＋ｉ番目のサブフレームにおいてデータチャネルを伝送する時間領域リソースは、当該１番目のスロット内の２〜７番目のシンボルである。
【００８４】
また、例えば、時間領域リソースユニットがスロットであり、第１のリソース指示情報に示すｎ＋ｉ番目のスロットにおいてデータチャネルを伝送する時間領域リソースは、当該サブフレーム内の１番目のミニスロットであり、第２のリソース指示情報に示すｎ＋ｉ番目のスロットにおいてデータチャネルを伝送する時間領域リソースは、当該１番目のミニスロット内の１番目のシンボルである。
【００８５】
任意選択で、６２０において、端末デバイスは、第１の時刻の後の第２の時刻において前記ネットワークデバイスにより送信された第２のリソース指示情報を受信することは、端末デバイスは、第１の時刻の後の第２の時刻において、予め設定された周波数領域リソースにおいてネットワークデバイスにより送信された当該第２のリソース指示情報を受信することを含む。
【００８６】
即ち、端末デバイスが第２のリソース指示情報を受信する時間領域リソースは、予め設定されたものである。例えば、第２のリソース指示情報の時間領域リソース位置と第１のリソース指示情報の時間領域リソース位置との間に固定の位置関係がある。端末デバイスは、第１のリソース指示情報を受信した後、どの時間領域リソースにおいて第２のリソース指示情報を受信することを把握する。ここで、当該第２のリソース指示情報を受信する時間領域リソースは、当該第２の時刻である。
【００８７】
さらに、任意選択で、第１のリソース指示情報は、第２のリソース指示情報を受信するための当該第２の時刻及び当該予め設定された周波数領域リソースを含み、端末デバイスがネットワークデバイスにより送信された第２のリソース指示情報を受信する前に、当該方法は、さらに、
端末デバイスは、当該第１のリソース指示情報に応じて、当該第２のリソース指示情報を受信するための第２の時刻及び当該予め設定された周波数領域リソースを確定する。
【００８８】
即ち、端末デバイスが第２のリソース指示情報を受信するための時間領域リソースの情報は、第１のリソース指示情報に含まれる。端末デバイスは、第１の時刻に第１のリソース指示情報を受信した後、第１のリソース指示情報から、ｎ＋ｉ番目の時間領域リソースユニットにおいてターゲットチャネルを伝送するための周波数領域リソースとともに、第２のリソース指示情報を受信するための時間領域リソース即ち第２の時刻及び周波数領域リソースを取得することができ、そして、端末デバイスは、第２の時刻に受信した第２のリソース指示情報から、ｎ＋ｉ番目の時間領域リソースユニットにおいてターゲットチャネルを伝送するための時間領域リソースを取得する。
【００８９】
任意選択で、６２０の後に、当該方法は、６３０を含む。
【００９０】
６３０において、端末デバイスは、ｎ＋ｉ番目の時間領域リソースユニットの当該周波数領域リソース及び当該時間領域リソースにおいて、ネットワークデバイスに当該ターゲットチャネルを送信し、又は、ネットワークデバイスにより送信された当該ターゲットチャネルを受信する。
【００９１】
端末デバイスは、第１のリソース指示情報に応じて、ターゲットチャネルを伝送するための周波数領域リソースを取得し、第２のリソース指示情報に応じて、ターゲットチャネルを伝送するための時間領域リソースを取得することで、ｎ＋ｉ番目の時間領域リソースユニットの当該周波数領域リソース及び当該時間領域リソースにおいて、ネットワークデバイスに当該ターゲットチャネルを送信し、又はネットワークデバイスにより送信された当該ターゲットチャネルを受信する。
【００９２】
上記方法は上り及び下り伝送の場面に適用でき、当該ターゲットチャネルはデータチャネル又は制御チャネルであってもよく、当該データチャネルは上りデータチャネルであってもよいし、下りデータチャネルであってもよいし、サイドリンク（ｓｉｄｅ  ｌｉｎｋ）データチャネルであってもよい。特に、端末デバイスは、上りデータチャネルまたは制御チャネルの送信に関し、第１のリソース指示情報が含まれるＤＣＩを予め取得し、上りデータチャネルの伝送に十分な時間を用意し、第２のリソース指示情報を受信することにより、上りデータチャネルが上り下り制御チャネルによって占有されているか否か、上りデータチャネルの時間領域リソースの位置を知ることができ、上りデータチャネルの伝送中に他の制御チャネルからの干渉を受けることがない。
【００９３】
本願の実施例におけるデータ伝送方法によって、端末デバイスは、伝送リソース情報が含まれる下り制御情報を受信した後、ネットワークデバイスにより追加されて送信された、上り／下りチャネルのリソースを示す指示情報を受信することで、事前スケジューリングの上で上り／下りチャネルを伝送するためのリソース位置を正確に把握することができる。
【００９４】
以下、図７〜図１０を例に挙げて、本願の実施例におけるデータ伝送方法について詳細に説明する。図７〜図１０は、ターゲットチャネルがデータチャネルである例を説明する。
【００９５】
例えば、図７に示されるようなＰＤＳＣＨのリソース構成方式のように、ｎ＋ｉ番目のスロットにおける開始の時間領域リソースは、下り制御チャネルＰＤＣＣＨによって占有される。ネットワークデバイスは、ｎ番目のスロットにおいて、第１のリソース指示情報を端末デバイスに送信することによって、ＰＤＳＣＨの伝送リソースをスケジューリングするが、第１のリソース指示情報の送信時刻であるＴ１時刻において、ｎ＋ｉ番目のスロットにおいてＰＤＣＣＨが占有する時間領域リソースの位置が未確定であり、ＰＤＣＣＨが占有する時間領域リソースが確定された後、時点Ｔ２において、ＰＤＳＣＨの伝送に用いる時間領域リソースを示めす第２のリソース指示情報を端末デバイスに送信することで、ｎ＋ｉ番目のスロットにおいてＰＤＳＣＨの伝送に用いる正確な時間領域リソースを端末デバイスに追加して指示することによって、端末デバイスがＰＤＣＣＨを誤ってＰＤＳＣＨとして受信してしまうことを回避し、ＰＤＳＣＨの復調及び復号性能を確保することができる。
【００９６】
また、例えば、図８に示すＰＤＳＣＨのリソース構成方式のように、ｎ＋ｉ番目のスロットにおける開始の時間領域リソースは、下り制御チャネルＰＤＣＣＨによって占有され、さらに、そのスロット末尾部分の時間領域リソースは、上りチャネル、例えば、ＰＵＣＣＨによって占有される。ネットワークデバイスは、ｎ番目のスロットにおいて、端末デバイスに第１のリソース指示情報を送信してＰＤＳＣＨの伝送リソースをスケジューリングするが、第１のリソース指示情報の送信時刻である時刻Ｔ１において、ｎ＋ｉ番目のスロットにＰＤＣＣＨ及びＰＵＣＣＨが存在するか否か、並びに、当該スロットにおけるＰＤＣＣＨ及びＰＵＣＣＨの伝送に用いられる時間領域リソースの位置が未確定であり、当該スロットにおけるＰＤＣＣＨ及びＰＵＣＣＨの伝送に用いられる時間領域リソースの位置が確定された後、ネットワークデバイスは、時刻Ｔ２において、ＰＤＳＣＨの伝送に用いられる時間領域リソースを示す第２のリソース指示情報を端末デバイスに送信することができ、これにより、ｎ＋ｉ番目のスロットにおけるＰＤＳＣＨの伝送に用いられる正確な時間領域リソースを追加して指示することによって、端末デバイスがＰＤＣＣＨ及びＰＵＣＣＨを誤ってＰＤＳＣＨとして受信することを回避し、ＰＤＳＣＨの復調及び復号性能を確保することができる。
【００９７】
また、例えば、図９に示すＰＵＳＣＨのリソース構成方式のように、ｎ＋ｉ番目のスロットにおける開始の時間領域リソースと末尾の時間領域リソースとが、上り制御チャネルＰＵＣＣＨで占有される可能性がある。ネットワークデバイスは、ｎ番目のスロットで第１のリソース指示情報を端末デバイスに送信してＰＵＳＣＨの伝送リソースをスケジューリングするが、第１のリソース指示情報の送信時刻であるＴ１時刻において、ｎ＋ｉ番目のスロットでＰＵＣＣＨが占有する時間領域リソースの位置が未確定であり、ＰＵＣＣＨが当該スロットにおいて占有する時間領域リソースが確定された後、ネットワークデバイスは、時刻Ｔ２において第２のリソース指示情報を送信して、ＰＵＳＣＨの伝送に用いる時間領域リソースを端末デバイスに指示することができ、これによって、ｎ＋ｉ番目のスロットでＰＵＳＣＨの伝送に用いる正確な時間領域リソースを端末デバイスに追加して指示し、端末デバイスが送信するＰＵＳＣＨと他の端末デバイスが送信するＰＵＣＣＨとの衝突を回避し、ＰＤＳＣＨとＰＵＣＣＨとの相互干渉を回避し、ＰＵＳＣＨとＰＵＣＣＨの伝送性能を改善することができる。
【００９８】
また、例えば、図１０に示すＰＵＳＣＨのリソース構成方式のように、ｎ＋ｉ番目のスロットにおける時間領域リソースは下り制御チャネルＰＤＣＣＨで占有され、かつ、ｎ＋ｉ番目のスロットにおける時間領域リソースはＰＵＣＣＨとＰＤＣＣＨで占有される。ネットワークデバイスは、ｎ番目のスロットで第１のリソース指示情報を端末デバイスに送信してＰＵＳＣＨの伝送リソースをスケジューリングするが、第１のリソース指示情報の送信時刻であるＴ１時刻では、ｎ＋ｉ番目のスロットにＰＤＣＣＨとＰＵＣＣＨが存在するか否か、および当該スロットにおいてＰＤＣＣＨとＰＵＣＣＨを伝送する時間領域リソースの位置が確定していないので、ＰＤＣＣＨとＰＵＣＣＨを伝送する時間領域リソースの位置が確定した後、ネットワークデバイスは、Ｔ２時刻で第２のリソース指示情報を送信して、ＰＵＳＣＨを伝送する時間領域リソースを端末デバイスに指示することができ、ｎ＋ｉ番目のスロットでＰＵＳＣＨを伝送する正確な時間領域リソースを端末デバイスに追加して指示して、ＰＵＳＣＨとネットワーク装置が送信する下りチャネルとの相互干渉を回避し、ＰＵＳＣＨと下りチャネルの伝送性能を向上させることができる。
【００９９】
図１１は本願の実施例におけるデータ伝送方法１１００のフローチャートである。図１１のデータ伝送方法は、ネットワークデバイス、例えば図１のネットワークデバイス１０により実行されてもよい。図１１に示すように、当該データ伝送プロセスは、１１１０〜１１３０を含む。
【０１００】
１１１０において、ネットワークデバイスが第１の時刻において端末デバイスに第１のリソース指示情報を送信する。
【０１０１】
ここで、当該第１の時刻は、ｎ番目の時間領域リソースユニットに位置し、当該第１のリソース指示情報は、ｎ＋ｉ番目の時間領域リソースユニットにおいて当該端末デバイスのターゲットチャネルを伝送するための周波数領域リソースを示し、前記ターゲットチャネルが、前記端末デバイスのデータチャネル又は制御チャネルを含み、ｎとｉとが、正の整数であり、
具体的に、ネットワークデバイスは、ｎ番目の時間領域リソースユニット（時間領域スケジューリング単位）の第１の時刻において、端末デバイスに第１のリソース指示情報を送信し、当該第１のリソース指示情報は、ｎ＋ｉ番目の時間領域リソースユニットにおいて前記端末デバイスのターゲットチャネルを伝送するための周波数領域リソースを示す。つまり、ｎ番目の時間領域リソースユニットで送信された第１のリソース指示情報は、ｎ＋ｉ番目の時間領域リソースユニットにおいてターゲットチャネルが伝送する周波数領域リソースをスケジューリングしたものである。このように、スロットを跨ってスケジューリングして、端末デバイスがその後のデータ伝送に十分な時間を備えている。
【０１０２】
なお、ここのｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる。
【０１０３】
任意選択で、当該データチャネルは、上りデータチャネル、下りデータチャネル、及びサイドリンクデータチャネルのうちの少なくとも１つを含む。
【０１０４】
１１２０において、ネットワークデバイスは、当該第１の時刻の後の第２の時刻に、端末デバイスに第２のリソース指示情報を送信する。
【０１０５】
ここで、当該第２のリソース指示情報は、ｎ＋ｉ番目の時間領域リソースユニットにおいて当該ターゲットチャネルを伝送するための時間領域リソースである。
【０１０６】
任意選択で、ｎ＋ｉ番目の時間領域リソースユニットにおいて当該ターゲットチャネルを伝送するための当該時間領域リソースは、ネットワークデバイスが第１の時刻の後に確定したものである。
【０１０７】
任意選択で、当該第２のリソース指示情報は、当該端末デバイスの専有情報（ＵＥ ｓｐｅｃｉｆｉｃ）である。
【０１０８】
任意選択で、当該ｎ番目の時間領域リソースユニットは、ｎ番目のスロット、ｎ番目のミニスロット、及びｎ番目のサブフレームのうちの少なくとも１つを含む。
【０１０９】
任意選択で、端末デバイスが当該第１のリソース指示情報を受信する物理チャネルは、当該第２のリソース指示情報を受信する物理チャネルとが異なってもよい。
【０１１０】
スロットを跨ってスケジューリングする際、ｎ番目のスロットにおいて、ネットワークデバイスは、ｎ＋ｉ番目のスロットにおいて制御チャネル又はデータチャネルを伝送するための時間領域リソース位置を確定しない可能性があり、この場合、ネットワークデバイスは、ｎ＋ｉ番目のスロットのターゲットチャネルへのスケジューリングを事前に実現することができない。そして、ネットワークデバイスは、まず第１のリソース指示情報を介して、ｎ＋ｉ番目の時間領域リソースユニットにおいて当該ターゲットチャネルを伝送するための周波数領域リソースを指示し、第１の時刻の後の第２の時刻において、ｎ＋ｉ番目の時間領域リソースユニットにおいて当該ターゲットチャネルを伝送するための時間領域リソースを端末デバイスに構成する。第２の時刻において、ネットワークデバイスは、ｎ＋ｉ番目の時間領域リソースユニットにおいて当該ターゲットチャネルを伝送するための時間領域リソースを既に用意した。
【０１１１】
任意選択で、当該第２のリソース指示情報に示す前記時間領域リソースは、当該ｎ＋ｉ番目の時間領域リソースユニットにおいて当該ターゲットチャネルを伝送するためのシンボルの開始位置、当該ターゲットチャネルを伝送するためのシンボルの数、当該ターゲットチャネルを伝送するためのミニスロット、及び当該ターゲットチャネルを伝送するためのミニスロットの数のうちの少なくとも１つを含む。
【０１１２】
具体的には、端末デバイスが受信する第２のリソース指示情報は、ｎ＋ｉ番目の時間領域リソースユニットにおいてターゲットチャネルを伝送するための時間領域リソースが占有するシンボルの開始位置及び/又は占有するシンボルの数を示すことができ、この第２のリソース指示情報は、ターゲットチャネルを伝送するための時間領域リソースがｎ＋ｉ番目の時間領域リソースユニット内で占有するミニスロットの開始位置および/または占有するミニスロットの数を示すこともでき、この時、１つの時間領域リソースユニット内にいくつかのミニスロットが含まれ、且つ、各ミニスロットに複数のシンボルが含まれ、第２のリソース指示情報は、ターゲットチャネルを伝送するための時間領域リソースがｎ＋ｉ番目の時間領域リソースユニットで占有するミニスロットの情報と、当該ミニスロットで占有するシンボルの情報とを示すことができる。これに限定されるものではない。
【０１１３】
任意選択で、当該第２のリソース指示情報は、さらに、当該時間領域リソースの識別子を含むことができ、当該第２のリソース指示情報に示す当該時間領域リソースは、予め設定された複数の時間領域リソースのうちの当該識別子に対応する時間領域リソースである。
【０１１４】
つまり、ｎ＋ｉ番目の時間領域リソースユニットでターゲットチャネルを伝送するための時間領域リソースは、予め設定された多種の時間領域リソース構成のうちの１つであってもよく、具体的に、時間領域リソースに対応する識別子によって確定されてもよい。
【０１１５】
任意選択で、当該第１のリソース指示情報は、さらに、当該ｎ＋ｉ番目の時間領域リソースユニットにおいて当該ターゲットチャネルを伝送するための時間領域リソースを示す。
【０１１６】
任意選択で、当該方法は、さらに、ネットワークデバイスは、第１のリソース指示情報に示す時間領域リソースと第２のリソース指示情報に示す時間領域リソースとが同じであるかどうかを確定し、第１のリソース指示情報に示す時間領域リソースと第２のリソース指示情報に示す時間領域リソースと異なる場合、ネットワークデバイスは、第２のリソース指示情報に示す当該時間領域リソースを利用してターゲットチャネルを伝送すると確定する。
【０１１７】
この実施例において、第１のリソース指示情報に示すｎ＋ｉ番目の時間領域リソースユニットにおいてターゲットチャネルを伝送する時間領域リソースと、第２のリソース指示情報に示すｎ＋ｉ番目の時間領域リソースユニットにおいてデータを伝送する時間領域リソースとが異なる場合、又は競合する場合、ネットワークデバイスは、第２のリソース指示情報に示す当該時間領域リソースを、ｎ＋ｉ番目の時間領域リソースユニットにおいてターゲットチャネルを伝送する時間領域リソースとする。
【０１１８】
任意選択で、当該方法は、さらに、ネットワークデバイスは、第２のリソース指示情報に応じて、第１のリソース指示情報に示す時間領域リソースの範囲において、ターゲットチャネルを伝送するための当該時間領域リソースを確定する。
【０１１９】
この実施例において、第１のリソース指示情報に示すｎ＋ｉ番目の時間領域リソースユニットにおいてターゲットチャネルを伝送する時間領域リソースの範囲は、第２のリソース指示情報に示すｎ＋ｉ番目の時間領域リソースユニットにおいてデータを伝送する時間領域リソースより大きい。
【０１２０】
ネットワークデバイスは、先に、第１のリソース指示情報を介して、時間領域リソースの大体の範囲を端末デバイスに指示し、ｎ＋ｉ番目の時間領域リソースユニットにおいてターゲットチャネルを伝送する時間領域リソースを確定した後、第２のリソース指示情報を介して、ｎ＋ｉ番目の時間領域リソースユニットにおいてターゲットチャネルを伝送する時間領域リソース位置を具体的に指示することができる。
【０１２１】
任意選択で、１１２０において、ネットワークデバイスは、当該第１の時刻の後の第２の時刻において、端末デバイスに第２のリソース指示情報を送信することは、ネットワークデバイスは、第１の時刻の後の第２の時刻において、予め設定された周波数領域リソースにおいて端末デバイスに当該第２のリソース指示情報を送信することを含む。
【０１２２】
即ち、ネットワークデバイスが第２のリソース指示情報を送信する時間領域リソースは、予め設定されたものである。例えば、第２のリソース指示情報の時間領域リソース位置と第１のリソース指示情報の時間領域リソース位置との間に固定の位置関係がある。ネットワークデバイスは、第１のリソース指示情報を送信した後、応答された時間領域リソースにおいて第２のリソース指示情報を送信する。ここで、当該第２のリソース指示情報を送信する時間領域リソースは、当該第２の時刻である。
【０１２３】
さらに、任意選択で、第１のリソース指示情報は、第２のリソース指示情報を受信するための当該第２の時刻及び当該予め設定された周波数領域リソースを含み、ネットワークデバイスが端末デバイスに第２のリソース指示情報を受信する前に、当該方法は、さらに、ネットワークデバイスは、第２のリソース指示情報を受信するための第２の時刻及び当該予め設定された周波数領域リソースを確定することを含む。
【０１２４】
即ち、ネットワークデバイスが第２のリソース指示情報を送信する時間領域リソースの情報は、第１のリソース指示情報に含まれて端末デバイスに送信する。端末デバイスは、第１の時刻に第１のリソース指示情報を受信した後、第１のリソース指示情報から、ｎ＋ｉ番目の時間領域リソースユニットにおいてターゲットチャネルを伝送するための周波数領域リソースとともに、第２のリソース指示情報を受信するための時間領域リソース即ち第２の時刻及び周波数領域リソースを取得することができ、そして、端末デバイスは、第２の時刻に受信した第２のリソース指示情報から、ｎ＋ｉ番目の時間領域リソースユニットにおいてターゲットチャネルを伝送するための時間領域リソースを取得する。
【０１２５】
任意選択で、１１２０の後、当該方法は、さらに、１１３０を含む。
【０１２６】
１１３０において、ネットワークデバイスは、当該ｎ＋ｉ番目の時間領域リソースユニットの当該周波数領域リソース及び当該時間領域リソースにおいて、端末デバイスにより送信された当該ターゲットチャネルを受信し、又は端末デバイスに当該ターゲットチャネルを送信する。
【０１２７】
本願の実施例におけるデータ伝送方法によって、ネットワークデバイスは、伝送リソース情報が含まれる下り制御情報を端末デバイスに送信した後、上り/下りチャネルの伝送を示すリソース指示情報を端末デバイスに追加して送信することで、端末デバイスへの事前リソーススケジューリングの上で、上り/下りチャネルを伝送るためのリソース位置を端末デバイスに正確に通知することができる。
【０１２８】
ネットワークデバイスが、第１のリソース指示情報および第２のリソース指示情報を使用して、端末デバイスのための伝送リソースを構成することは、図７〜図１０の説明を参照し、ここで説明を省略する。
【０１２９】
なお、本願の実施例におて、ネットワークデバイスが端末デバイスに送信する第１のリソース指示情報及び第２のリソース指示情報は、時間領域リソースユニットにおいてターゲットチャネルを伝送するための時間領域リソースを示し、ここで「示す」は、直接または間接なのもである。例えば、ネットワークデバイスは、ターゲットチャネルを伝送すための時間領域リソースの情報が第２のリソース指示情報に含まれ、時間領域リソースユニットにおいてターゲットチャネルを伝送するための時間領域リソースを端末デバイスに直接に指示し、又は、ネットワークデバイスは、第２のリソース指示情報に当該スロット内の他のチャネルが占有される時間領域リソースが含まれ、ここ場合、端末デバイスは、時間領域リソースユニット内に占有される時間領域リソースに応じて、当該時間領域リソースユニットにおいてターゲットチャネルを伝送するための時間領域リソースを推定することができ、例えば、第２のリソース指示情報にｎ＋ｉ番目のスロットにおいてＰＤＣＣＨを伝送するためのシンボル位置が含まれる場合、端末デバイスは、ＰＤＣＣＨを伝送するためのシンボル位置に応じて、当該スロット内の残ってるシンボルがＰＤＳＣＨの伝送用シンボルであると確定する。
【０１３０】
なお、本願の実施例において、ネットワークデバイスは、複数の時間領域リソースユニットにおいてターゲットチャネルを伝送する時間領域リソースを端末デバイスに指示することができる。ネットワークデバイスは、第１の時刻において端末デバイスに第１のリソース指示情報を送信し、第１のリソース指示情報は、ｎ番目の時間領域リソースユニットの後の
2020515145.tif 000003
の時間領域リソースユニット内の各時間領域リソースユニットにおいて端末デバイスのターゲットチャネルを伝送するための周波数領域リソースを示す。ネットワークデバイスは、第１の時刻の後の第２の時刻において、第２のリソース指示情報を端末デバイスに送信し、第２のリソース指示情報は、ｎ＋ｉ番目の時間領域リソースユニットにおいてターゲットチャネルを伝送するための時間領域リソースを示し、また、ネットワークデバイスは、第１の時刻の後の第３の時刻において、第３のリソース指示情報を端末デバイスに送信してもよく、第３のリソース指示情報は、第ｎ＋ｋ個の時間領域リソースユニットにおいて前記ターゲットチャネルを伝送するための時間領域リソースを示し、ｋ≠ｉである。
【０１３１】
例えば、図１２はＰＤＳＣＨの複数のスロットリソース構成（ｓｌｏｔ ａｇｇｒｅｇａｔｉｏｎ）の模式図を示す。スロット１〜スロット３の時間領域リソースが下り制御チャネルＰＤＣＣＨに占有される。ネットワークデバイスは、スロット１において第１のリソース指示情報を端末デバイスに送信して、スロット１〜スロット３のＰＤＳＣＨの伝送リソースをスケジューリングするが、第１のリソース指示情報の送信時刻即ちＴ１時刻において、スロット２及びスロット３のＰＤＣＣＨが占有される時間領域リソースの位置がまだ確定されない。ＰＤＣＣＨのスロット２に占有される時間領域リソースが確定された後、ネットワークデバイスは、時刻Ｔ２’において、第２のリソース指示情報を送信して、スロット２においてＰＤＳＣＨを伝送するための時間領域リソースを端末デバイスに指示し、これによって、スロット２においてＰＤＳＣＨを伝送するための正確な時間領域リソースを端末デバイスに追加して指示することで、ＰＤＣＣＨのスロット３に占用される時間領域リソースが確定された後、ネットワークデバイスは、時刻Ｔ２’’において、第３のリソース指示情報を送信して、スロット３においてＰＤＳＣＨを伝送するための時間領域リソースを端末デバイスに指示し、スロット３においてＰＤＳＣＨを伝送するための正確な時間領域リソースを端末デバイスに追加して指示することで、端末デバイスがＰＤＣＣＨをＰＤＳＣＨとして受信することを回避し、ＰＤＳＣＨの復調及び復号性能を保証することができる。
【０１３２】
なお、本願の様々な実施例において、上記プロセスのシーケンス番号のサイズは、実行順序、各プロセスの実行順序がその機能および内部論理によって確定されるべきであることを意味せず、この実施例の実行プロセスは制限されない。
【０１３３】
図１３は本願の実施例における端末デバイス１３００のブロック図である。図１３に示すように、当該端末デバイス１３００は、受信ユニット１３１０及び送信ユニット１３２０を含む。
【０１３４】
当該受信ユニット１３１０は、第１の時刻において、ネットワークデバイスにより送信された第１のリソース指示情報を受信するように構成され、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記受信ユニット１３１０は、さらに、前記第１の時刻の後の第２の時刻において、前記ネットワークデバイスにより送信された第２のリソース指示情報を受信するように構成され、前記第２のリソース指示情報が、前記ｎ＋ｉ番目の時間領域リソースユニットにおいて前記ターゲットチャネルを伝送するための時間領域リソースを示す。
【０１３５】
そして、端末デバイスは、伝送リソース情報が含まれる下り制御情報を受信した後、ネットワークデバイスにより追加されて送信された、上り／下りチャネルのリソースを示す指示情報を受信することで、事前スケジューリングの上で上り／下りチャネルを伝送するためのリソース位置を正確に把握することができる。
【０１３６】
任意選択で、前記ｎ＋ｉ番目の時間領域リソースユニットにおいて前記ターゲットチャネルを伝送するための前記時間領域リソースは、前記ネットワークデバイスが前記第１の時刻の後に確定したものである。
【０１３７】
任意選択で、前記送信ユニット１３２０は、前記ｎ＋ｉ番目の時間領域リソースユニットの前記周波数領域リソース及び前記時間領域リソースにおいて、前記ネットワークデバイスに前記ターゲットチャネルを送信するように構成され、
前記受信ユニット１３１０は、さらに、前記ｎ＋ｉ番目の時間領域リソースユニットの前記周波数領域リソース及び前記時間領域リソースにおいて、前記ネットワークデバイスにより送信された前記ターゲットチャネルを受信するように構成される。
【０１３８】
任意選択で、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【０１３９】
任意選択で、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【０１４０】
任意選択で、前記第１のリソース指示情報は、前記ｎ＋ｉ番目の時間領域リソースユニットにおいて前記ターゲットチャネルを伝送するための時間領域リソースを示す。
【０１４１】
任意選択で、前記端末デバイスが確定ユニットをさらに含み、前記確定ユニットは、前記第１のリソース指示情報に示す時間領域リソースと前記第２のリソース指示情報に示す時間領域リソースとが同じであるかどうかを確定し、前記第１のリソース指示情報に示す時間領域リソースと前記第２のリソース指示情報に示す時間領域リソースとが異なる場合、前記第２のリソース指示情報に示す前記時間領域リソースを利用して前記ターゲットチャネルを伝送すると確定するように構成される。
【０１４２】
任意選択で、前記端末デバイスが確定ユニットをさらに含み、前記確定ユニットは、前記第２のリソース指示情報に応じて、前記第１のリソース指示情報に示す時間領域リソースの範囲において、前記ターゲットチャネルを伝送するための前記時間領域リソースを確定するように構成される。
【０１４３】
任意選択で、前記受信ユニット１３１０は、前記第１の時刻の後の第２の時刻において、予め設定された周波数領域リソースにおいて前記ネットワークデバイスにより送信された前記第２のリソース指示情報を受信するように構成される。
【０１４４】
任意選択で、前記第１のリソース指示情報が、前記第２のリソース指示情報を受信するための前記第２の時刻及び前記予め設定された周波数領域リソースを含み、前記確定ユニットは、さらに、前記受信ユニット１３１０が前記ネットワークデバイスにより送信された第２のリソース指示情報を受信する前に、前記第１のリソース指示情報に応じて、前記第２のリソース指示情報を受信するための前記第２の時刻及び前記予め設定された周波数領域リソースを確定するように構成される。
【０１４５】
任意選択で、前記第２のリソース指示情報は、前記端末デバイスの専有情報である。
【０１４６】
任意選択で、前記ｎ番目の時間領域リソースユニットは、ｎ番目のスロット、ｎ番目のミニスロット、及びｎ番目のサブフレームのうちの少なくとも１つを含む。
【０１４７】
任意選択で、前記受信ユニット１３１０が前記第１のリソース指示情報を受信する物理チャネルは、前記第２のリソース指示情報を受信する物理チャネルと異なる。
【０１４８】
任意選択で、前記データチャネルは、上りデータチャネル、下りデータチャネル、及びサイドリンクデータチャネルのうちの少なくとも１つを含む。
【０１４９】
図１４は本願の実施例におけるネットワークデバイス１４００のブロック図である。図１４に示すように、当該ネットワークデバイス１４００は、送信ユニット１４１０及び受信ユニット１４２０を含む。
【０１５０】
送信ユニット１４１０は、第１の時刻において端末デバイスに第１のリソース指示情報を送信するように構成され、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記送信ユニット１４１０は、さらに、前記第１の時刻の後の第２の時刻において、前記端末デバイスに第２のリソース指示情報を送信するように構成され、前記第２のリソース指示情報が、前記ｎ＋ｉ番目の時間領域リソースユニットにおいて前記ターゲットチャネルを伝送するための時間領域リソースを示す。
【０１５１】
そして、ネットワークデバイスは、端末デバイスに伝送リソース情報が含まれる下り制御情報を送信した後、上り/下りチャネルの伝送を示すリソース指示情報を端末デバイスに追加して送信することで、端末デバイスへの事前リソーススケジューリングの上で、上り/下りチャネルを伝送るためのリソース位置を端末デバイスに正確に通知することができる。
【０１５２】
任意選択で、前記ｎ＋ｉ番目の時間領域リソースユニットにおいて前記ターゲットチャネルを伝送するための前記時間領域リソースは、前記ネットワークデバイスが前記第１の時刻の後に確定したものである。
【０１５３】
任意選択で、前記受信ユニット１４２０は、前記ｎ＋ｉ番目の時間領域リソースユニットの前記周波数領域リソース及び前記時間領域リソースにおいて、前記端末デバイスにより送信された前記ターゲットチャネルを受信するように構成され、
前記送信ユニット１４１０は、さらに、前記ｎ＋ｉ番目の時間領域リソースユニットの前記周波数領域リソース及び前記時間領域リソースにおいて、前記端末デバイスに前記ターゲットチャネルを送信するように構成される。
【０１５４】
任意選択で、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【０１５５】
任意選択で、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【０１５６】
任意選択で、前記第１のリソース指示情報は、前記ｎ＋ｉ番目の時間領域リソースユニットにおいて前記ターゲットチャネルを伝送するための時間領域リソースを示す。
【０１５７】
任意選択で、前記ネットワークデバイスは、確定ユニットをさらに含み、前記確定ユニットは、前記第１のリソース指示情報に示す時間領域リソースと前記第２のリソース指示情報に示す時間領域リソースとが同じであるかどうかを確定し、前記第１のリソース指示情報に示す時間領域リソースと前記第２のリソース指示情報に示す時間領域リソースとが異なる場合、前記第２のリソース指示情報に示す前記時間領域リソースを利用して前記ターゲットチャネルを伝送すると確定するように構成される。
【０１５８】
任意選択で、前記ネットワークデバイスは、確定ユニットをさらに含み、前記確定ユニットは、前記第２のリソース指示情報に応じて、前記第１のリソース指示情報に示す時間領域リソースの範囲において、前記ターゲットチャネルを伝送するための前記時間領域リソースを確定するように構成される。
【０１５９】
任意選択で、前記送信ユニット１４１０は、前記第１の時刻の後の第２の時刻において、予め設定された周波数領域リソースにおいて前記端末デバイスに前記第２のリソース指示情報を送信するように構成される。
【０１６０】
任意選択で、前記第１のリソース指示情報が、前記第２のリソース指示情報を受信するための前記第２の時刻及び前記予め設定された周波数領域リソースを含み、前記確定ユニットは、さらに、前記送信ユニット１４１０が前記端末デバイスに前記第２のリソース指示情報を送信する前に、前記第２のリソース指示情報を受信するための前記第２の時刻及び前記予め設定された周波数領域リソースを確定するように構成される。
【０１６１】
任意選択で、前記第２のリソース指示情報は、前記端末デバイスの専有情報である。
【０１６２】
任意選択で、前記ｎ番目の時間領域リソースユニットは、ｎ番目のスロット、ｎ番目のミニスロット、及びｎ番目のサブフレームのうちの少なくとも１つを含む。
【０１６３】
任意選択で、前記ネットワークデバイスが前記第１のリソース指示情報を送信する物理チャネルは、前記第２のリソース指示情報を送信する物理チャネルと異なる。
【０１６４】
任意選択で、前記データチャネルは、上りデータチャネル、下りデータチャネル、及びサイドリンクデータチャネルのうちの少なくとも１つを含む。
【０１６５】
図１５は、本願の実施例における端末デバイス１５００の概略構造図である。 図１５に示されるように、端末デバイスは、プロセッサ１５１０、トランシーバ１５２０、およびメモリ１５３０を含み、プロセッサ１５１０、トランシーバ１５２０、およびメモリ１５３０は、内部接続経路を介して互いに通信する。メモリ１５３０は、命令を格納するためのものであり、プロセッサ１５１０は、メモリ１５３０によって格納された命令を実行して、トランシーバ１５２０を制御して信号を受信または送信するように構成される。
【０１６６】
任意選択で、プロセッサ１５１０は、メモリ１５３０に格納されたプログラムコードを呼び出して、図６に示される方法６００で端末デバイスの対応する動作を実行することができ、ここで説明を省略する。
【０１６７】
本願の実施例では、プロセッサ１５１０は中央処理装置（ＣＰＵ）であってもよく、プロセッサ１５１０は他の汎用プロセッサ、デジタル信号プロセッサ（ＤＳＰ）、特定用途向け集積回路（ＡＳＩＣ）、プログラマブルゲートアレイ（ＦＰＧＡ）またはその他のプログラマブルロジックデバイス、個別のゲートまたはトランジスタロジックデバイス、個別のハードウェアコンポーネント、汎用プロセッサは、マイクロプロセッサまたはプロセッサまたは任意の従来のプロセッサなどであってもよい。
【０１６８】
メモリ１５３０は、読み取り専用メモリおよびランダムアクセスメモリを含むことができ、命令およびデータをプロセッサ１５１０に提供する。メモリ１５３０の一部は、不揮発性ランダムアクセスメモリも含み得る。例えば、メモリ１５３０は、デバイスタイプの情報も保存することができる。
【０１６９】
実行プロセスにおいて、前述の方法の各ステップは、プロセッサ１５１０内のハードウェアの統合論理回路、またはソフトウェアの形の命令によって完了することができる。本願の実施例で開示される測位方法のステップは、ハードウェアプロセッサによって直接実装されてもよく、またはプロセッサ１５１０内のハードウェアおよびソフトウェアモジュールの組み合わせによって実行されてもよい。 ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなどの従来の記憶媒体に配置することができます。記憶媒体はメモリ１５３０に配置され、プロセッサ１５１０はメモリ１５３０の情報を読み取り、そのハードウェアと組み合わせて上記の方法のステップを実行する。ここで説明を省略する。
【０１７０】
本願の実施例に係る端末デバイス１５００は、前述の方法６００の方法６００を実行する端末デバイス、および本願の実施例に係る端末デバイス１３００に対応し、端末デバイス１５００の各ユニットまたはモジュールは、 上記方法６００で端末デバイスが実行する動作または処理は実行されるが、ここでは、重複を避けるために、詳細な説明は省略する。
【０１７１】
図１６は、本願の実施例によるネットワークデバイス１６００の概略構造図である。図１６に示されるように、ネットワークデバイスは、プロセッサ１６１０、トランシーバ１６２０、およびメモリ１６３０を含み、プロセッサ１６１０、トランシーバ１６２０、およびメモリ１６３０は、内部接続経路を介して互いに通信する。メモリ１６３０は、命令を格納するためのものであり、プロセッサ１６１０は、メモリ１６３０によって格納された命令を実行して、トランシーバ１６２０を制御して信号を受信または送信するように構成される。
【０１７２】
任意選択で、プロセッサ１６１０は、メモリ１６３０に格納されたプログラムコードを呼び出して、図１１に示される方法１１００でネットワークデバイスの対応する動作を実行することができ、ここで説明を省略する。
【０１７３】
本願の実施例では、プロセッサ１６１０は中央処理装置（ＣＰＵ）であってもよく、プロセッサ１６１０は他の汎用プロセッサ、デジタル信号プロセッサ（ＤＳＰ）、特定用途向け集積回路（ＡＳＩＣ）、プログラマブルゲートアレイ（ＦＰＧＡ）またはその他のプログラマブルロジックデバイス、個別のゲートまたはトランジスタロジックデバイス、個別のハードウェアコンポーネント、汎用プロセッサは、マイクロプロセッサまたはプロセッサまたは任意の従来のプロセッサなどであってもよい。
【０１７４】
メモリ１６３０は、読み取り専用メモリおよびランダムアクセスメモリを含むことができ、命令およびデータをプロセッサ１６１０に提供する。 メモリ１６３０の一部は、不揮発性ランダムアクセスメモリも含み得る。 例えば、メモリ１６３０は、デバイスタイプの情報も保存することができる。
【０１７５】
実施プロセスにおいて、前述の方法の各ステップは、プロセッサ１６１０内のハードウェアの統合論理回路、またはソフトウェアの形の命令によって完了することができる。 本願の実施例で開示される測位方法のステップは、ハードウェアプロセッサによって直接実装されてもよく、またはプロセッサ１６１０内のハードウェアおよびソフトウェアモジュールの組み合わせによって実行されてもよい。 ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなどの従来の記憶媒体に配置することができます。 記憶媒体はメモリ１６３０に配置され、プロセッサ１６１０はメモリ１６３０の情報を読み取り、そのハードウェアと組み合わせて上記の方法のステップを実行する。ここで説明を省略する。
【０１７６】
本願の実施例に係る端末デバイス１６００は、前述の方法１１００の方法１１００を実行するネットワークデバイス１４００、および本願の実施例に係るネットワークデバイス１６００に対応し、ネットワークデバイス１６００の各ユニットまたはモジュールは、上記方法１１００で端末デバイスが実行する動作または処理は実行されるが、ここでは、重複を避けるために、詳細な説明は省略する。
【０１７７】
本願の一実施例によるシステムチップの概略構造図である。 図１７のシステムチップ１７００は、入力インターフェース１７０１、出力インターフェース１７０２、少なくとも１つのプロセッサ１７０３、およびメモリ１７０４を含む。入力インターフェース１７０１、出力インターフェース１７０２、プロセッサ１７０３、およびメモリ１７０４は、内部接続経路によって相互接続される。プロセッサ１７０３は、メモリ１７０４内のコードを実行するように構成される。
【０１７８】
任意選択で、コードが実行されると、プロセッサ１７０３は、方法の実施例において端末デバイスによって実行される方法６００を実施することができる。 簡潔にするために、ここで説明を省略する。
【０１７９】
任意選択で、コードが実行されると、プロセッサ１７０３は、方法の実施例においてネットワークデバイスによって実行される方法１１００を実施することができる。簡潔にするためにここで説明を省略する。
【０１８０】
本明細書に開示される実施例に関連して説明される様々な例の要素およびアルゴリズムステップは、電子ハードウェアまたはコンピュータソフトウェアと電子ハードウェアの組み合わせで実装できることを当業者は理解するであろう。これらの機能がハードウェアで実行されるかソフトウェアで実行されるかは、特定のアプリケーションとソリューションの設計上の制約に依存する。当業者は、特定のアプリケーションごとに説明された機能を実装するために異なる方法を使用することができるが、そのような実装は本願の範囲を超えると見なされるべきではない。
【０１８１】
当業者は、説明の便宜上および簡潔さのために、上記のシステム、デバイス、およびユニットの特定の作業プロセスは、前述の方法の実施例の対応するプロセスを参照できることを明確に理解でき、ここで説明を省略する。
【０１８２】
本願によって提供されるいくつかの実施例では、開示されたシステム、デバイス、および方法は、他の方法で実装され得ることを理解されたい。たとえば、上記のデバイスの実施例は単なる例示であり、たとえば、ユニットの分割は論理機能の分割にすぎない。実際の実装では、たとえば、複数のユニットまたはコンポーネントを組み合わせたり、別のシステムに統合するか、一部の機能を無視するか実行しないことができます。加えて、図示または議論される相互結合または直接結合または通信接続は、何らかのインターフェース、デバイスまたはユニットを介した間接結合または通信接続であり得、電気的、機械的または他の形態であり得る。
【０１８３】
個別のコンポーネントとして説明されるユニットは、物理的に分離される場合とされない場合があり、ユニットとして表示されるコンポーネントは、物理ユニットである場合とそうでない場合がある。ユニットのいくつかまたはすべては、実施例の解決策の目的を達成するための実際のニーズに従って選択されてもよい。
【０１８４】
さらに、本願の各実施例における各機能ユニットは、１つの処理ユニットに統合されてもよく、各ユニットは物理的に別々に存在してもよく、または２つ以上のユニットが１つのユニットに統合されてもよい。
【０１８５】
この機能は、ソフトウェア機能ユニットとして実装され、スタンドアロン製品として販売または使用される場合、コンピューターで読み取り可能な記憶媒体に保存できます。そのような理解に基づいて、先行技術に不可欠または貢献する本願の技術的解決策、または技術的解決策の一部は、以下を含む記憶媒体に格納されるソフトウェア製品の形で具現化され得る。命令は、本願の様々な実施例の方法のステップの全部または一部を実行するコンピューターデバイス（パーソナルコンピューター、サーバー、またはネットワークデバイスなどであってもよい）に使用される。前述の記憶媒体には、Ｕディスク、モバイルハードディスク、読み取り専用メモリ（ＲＯＭ）、ランダムアクセスメモリ（ＲＡＭ）、ディスク、または光ディスクが含まれる。プログラムコードを保存できる媒体。
【０１８６】
上記は本願の特定の実施例に過ぎないが、本願の実施例の保護の範囲はそれに限定されず、当業者は本願の実施例に開示された技術的範囲内で変更または置換を容易に考えることができる。 、個人的な利益のためにこのアプリケーションの保護の範囲でカバーされるべきです。したがって、本願の実施例の保護範囲は、特許請求の範囲の保護範囲によって確定されるべきである。
【図１】
2020515145.tif 000004
【図２】
2020515145.tif 000005
【図３】
2020515145.tif 000006
【図４】
2020515145.tif 000007
【図５】
2020515145.tif 000008
【図６】
2020515145.tif 000009
【図７】
2020515145.tif 000010
【図８】
2020515145.tif 000011
【図９】
2020515145.tif 000012
【図１０】
2020515145.tif 000013
【図１１】
2020515145.tif 000014
【図１２】
2020515145.tif 000015
【図１３】
2020515145.tif 000016
【図１４】
2020515145.tif 000017
【図１５】
2020515145.tif 000018
【図１６】
2020515145.tif 000019
【図１７】
2020515145.tif 000020
【手続補正書】
【提出日】令和2年2月28日(2020.2.28)
【手続補正１】
【補正対象書類名】明細書
【補正対象項目名】全文
【補正方法】変更
【補正の内容】
【発明の詳細な説明】
【技術分野】
【０００１】
本願の実施例は、無線通信分野に関し、具体的に、データ伝送方法、端末デバイス及びネットワークデバイスに関する。
【背景技術】
【０００２】
５Ｇニューラジオ（Ｎｅｗ Ｒａｄｉｏ：ＮＲ）システムでは、１つの時間領域スケジューリングユニット、例えば、スロット（ｓｌｏｔ）またはミニスロット（ｍｉｎｉ-ｓｌｏｔ）などの内のいくつかのシンボルを使用して、制御チャネルを伝送し、他のシンボルを使用してデータチャネルを伝送し、さらに、１つの時間領域スケジューリングユニットの一部のシンボルを利用して下りチャネルを伝送し、他のシンボルを利用して上りチャネルを伝送することをサポートする。１つの時間領域スケジューリングユニットにおいて、どのシンボルを使用して制御チャネルを伝送し、どのシンボルを使用してデータチャネルを伝送することは、基地局が下り制御情報（Ｄｏｗｎｌｉｎｋ Ｃｏｎｔｒｏｌ Ｉｎｆｏｒｍａｔｉｏｎ：ＤＣＩ）を介して端末に指示する。
【０００３】
また、５Ｇシステムでは、スロットを跨ってスケジューリングすることがサポートされており、つまり、ｎ＋ｉ番目のスロットのデータチャネルの送信（ｎ、ｉは正の整数）は、ｎ番目のスロットで送信されるＤＣＩによってスケジュールされる。しかし、基地局は、ｎ番目のスロットにおいて、ｎ＋ｉ番目のスロットで制御チャネルまたはデータチャネルを伝送するための時間領域リソースの位置を確定していない場合、ｎ＋ｉ番目のスロットでのチャネル伝送を事前にリソーススケジューリングすることができない。
【発明の概要】
【０００４】
本願の実施例は、端末デバイスが上り／下りチャネルを伝送するリソースを事前スケジューリングすることができるデータ伝送方法、端末デバイス及びネットワークデバイスを提供する。
【０００５】
第１の形態は、データ伝送方法を提供し、端末デバイスが、第１の時刻において、ネットワークデバイスにより送信された第１のリソース指示情報を受信することと、前記端末デバイスが前記第１の時刻の後の第２の時刻において、前記ネットワークデバイスにより送信された第２のリソース指示情報を受信することとを含み、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、前記第２のリソース指示情報が、前記ｎ＋ｉ番目の時間領域リソースユニットにおいて前記ターゲットチャネルを伝送するための時間領域リソースを示す。
【０００６】
そして、端末デバイスは、伝送リソース情報が含まれる下り制御情報を受信した後、ネットワークデバイスにより追加されて送信された、上り／下りチャネルのリソースを示す指示情報を受信することで、事前スケジューリングの上で、上り／下りチャネルを伝送するためのリソース位置を正確に把握することができる。
【０００７】
なお、本願の実施例では、ｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる。
【０００８】
任意選択で、第１の形態の実現可能な方式において、前記ｎ＋ｉ番目の時間領域リソースユニットにおいて前記ターゲットチャネルを伝送するための前記時間領域リソースは、前記ネットワークデバイスが前記第１の時刻の後に確定したものである。
【０００９】
任意選択で、第１の形態の実現可能な方式において、前記方法は、さらに、前記端末デバイスが前記ｎ＋ｉ番目の時間領域リソースユニットの前記周波数領域リソース及び前記時間領域リソースにおいて、前記ネットワークデバイスに前記ターゲットチャネルを送信し、又は前記ネットワークデバイスにより送信された前記ターゲットチャネルを受信することを含む。
【００１０】
任意選択で、第１の形態の実現可能な方式において、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【００１１】
任意選択で、第１の形態の実現可能な方式において、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【００１２】
任意選択で、第１の形態の実現可能な方式において、前記第１のリソース指示情報は、前記ｎ＋ｉ番目の時間領域リソースユニットにおいて前記ターゲットチャネルを伝送するための時間領域リソースを示す。
【００１３】
任意選択で、第１の形態の実現可能な方式において、前記方法は、さらに、前記端末デバイスが前記第１のリソース指示情報に示す時間領域リソースと、前記第２のリソース指示情報に示す時間領域リソースとが同じであるかどうかを確定することと、前記第１のリソース指示情報に示す時間領域リソースと前記第２のリソース指示情報に示す時間領域リソースとが異なる場合、前記端末デバイスが前記第２のリソース指示情報に示す前記時間領域リソースを利用して前記ターゲットチャネルを伝送すると確定することとを含む。
【００１４】
任意選択で、第１の形態の実現可能な方式において、前記方法は、さらに、前記端末デバイスが前記第２のリソース指示情報に応じて、前記第１のリソース指示情報に示す時間領域リソースの範囲において、前記ターゲットチャネルを伝送するための前記時間領域リソースを確定することを含む。
【００１５】
任意選択で、第１の形態の実現可能な方式において、前記端末デバイスが前記第１の時刻の後の第２の時刻において、前記ネットワークデバイスにより送信された第２のリソース指示情報を受信することは、前記端末デバイスが前記第１の時刻の後の第２の時刻において、予め設定された周波数領域リソースにおいて前記ネットワークデバイスにより送信された前記第２のリソース指示情報を受信することを含む。
【００１６】
任意選択で、第１の形態の実現可能な方式において、前記第１のリソース指示情報が、前記第２のリソース指示情報を受信するための前記第２の時刻及び前記予め設定された周波数領域リソースを含み、前記端末デバイスが前記ネットワークデバイスにより送信された第２のリソース指示情報を受信する前に、前記方法は、さらに、前記端末デバイスが前記第１のリソース指示情報に応じて、前記第２のリソース指示情報を受信するための前記第２の時刻及び前記予め設定された周波数領域リソースを確定することを含む。
【００１７】
任意選択で、第１の形態の実現可能な方式において、前記第２のリソース指示情報は、前記端末デバイスの専有情報である。
【００１８】
任意選択で、第１の形態の実現可能な方式において、前記ｎ番目の時間領域リソースユニットは、ｎ番目のスロット、ｎ番目のミニスロット、及びｎ番目のサブフレームのうちの少なくとも１つを含む。
【００１９】
任意選択で、第１の形態の実現可能な方式において、前記端末デバイスが前記第１のリソース指示情報を受信する物理チャネルは、前記第２のリソース指示情報を受信する物理チャネルと異なる。
【００２０】
任意選択で、第１の形態の実現可能な方式において、前記データチャネルは、上りデータチャネル、下りデータチャネル、及びサイドリンクデータチャネルのうちの少なくとも１つを含む。
【００２１】
第２の形態は、データ伝送方法を提供し、ネットワークデバイスが第１の時刻において端末デバイスに第１のリソース指示情報を送信することと、前記ネットワークデバイスが前記第１の時刻の後の第２の時刻において、前記端末デバイスに第２のリソース指示情報を送信することとを含み、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、前記第２のリソース指示情報が、前記ｎ＋ｉ番目の時間領域リソースユニットにおいて前記ターゲットチャネルを伝送するための時間領域リソースを示す。
【００２２】
そして、ネットワークデバイスは、伝送リソース情報が含まれる下り制御情報を端末デバイスに送信した後、上り/下りチャネルの伝送を示すリソース指示情報を端末デバイスに追加して送信することで、端末デバイスへの事前リソーススケジューリングの上で、上り/下りチャネルを伝送るためのリソース位置を端末デバイスに正確に通知することができる。
【００２３】
なお、本願の実施例では、ｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる。
【００２４】
任意選択で、第２の形態の可能な方式において、前記ｎ＋ｉ番目の時間領域リソースユニットにおいて前記ターゲットチャネルを伝送するための前記時間領域リソースは、前記ネットワークデバイスが前記第１の時刻の後に確定したものである。
【００２５】
任意選択で、第２の形態の可能な方式において、前記方法は、さらに、前記ネットワークデバイスが前記ｎ＋ｉ番目の時間領域リソースユニットの前記周波数領域リソース及び前記時間領域リソースにおいて、前記端末デバイスにより送信された前記ターゲットチャネルを受信し、又は前記端末デバイスに前記ターゲットチャネルを送信することとを含む。
【００２６】
任意選択で、第２の形態の可能な方式において、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【００２７】
任意選択で、第２の形態の可能な方式において、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【００２８】
任意選択で、第２の形態の可能な方式において、前記第１のリソース指示情報は、前記ｎ＋ｉ番目の時間領域リソースユニットにおいて前記ターゲットチャネルを伝送するための時間領域リソースを示す。
【００２９】
任意選択で、第２の形態の可能な方式において、前記方法は、さらに、前記ネットワークデバイスが、前記第１のリソース指示情報に示す時間領域リソースと前記第２のリソース指示情報に示す時間領域リソースとが同じであるかどうかを確定することと、前記第１のリソース指示情報に示す時間領域リソースと前記第２のリソース指示情報に示す時間領域リソースとが異なる場合、前記ネットワークデバイスが、前記第２のリソース指示情報に示す前記時間領域リソースを利用して前記ターゲットチャネルを伝送すると確定することとを含む。
【００３０】
任意選択で、第２の形態の可能な方式において、前記方法は、さらに、前記ネットワークデバイスが前記第２のリソース指示情報に応じて、前記第１のリソース指示情報に示す時間領域リソースの範囲において、前記ターゲットチャネルを伝送するための前記時間領域リソースを確定することを含む。
【００３１】
任意選択で、第２の形態の可能な方式において、前記ネットワークデバイスが前記第１の時刻の後の第２の時刻において、前記端末デバイスに第２のリソース指示情報を送信することは、前記ネットワークデバイスが前記第１の時刻の後の第２の時刻において、予め設定された周波数領域リソースにおいて前記端末デバイスに前記第２のリソース指示情報を送信することを含む。
【００３２】
任意選択で、第２の形態の可能な方式において、前記第１のリソース指示情報が、前記第２のリソース指示情報を受信するための前記第２の時刻及び前記予め設定された周波数領域リソースを含み、前記ネットワークデバイスが前記端末デバイスに前記第２のリソース指示情報を送信する前に、前記方法は、さらに、前記ネットワークデバイスが前記第２のリソース指示情報を受信するための前記第２の時刻及び前記予め設定された周波数領域リソースを確定することを含む。
【００３３】
任意選択で、第２の形態の可能な方式において、前記第２のリソース指示情報は、前記端末デバイスの専有情報である。
【００３４】
任意選択で、第２の形態の可能な方式において、前記ｎ番目の時間領域リソースユニットは、ｎ番目のスロット、ｎ番目のミニスロット、及びｎ番目のサブフレームのうちの少なくとも１つを含む。
【００３５】
任意選択で、第２の形態の可能な方式において、前記ネットワークデバイスが前記第１のリソース指示情報を送信する物理チャネルは、前記第２のリソース指示情報を送信する物理チャネルと異なる。
【００３６】
任意選択で、第２の形態の可能な方式において、前記データチャネルは、上りデータチャネル、下りデータチャネル、及びサイドリンクデータチャネルのうちの少なくとも１つを含む。
【００３７】
第３の形態は、端末デバイスを提供し、当該端末デバイスは、上記の第１の形態又は第１の形態の任意可能な形態の端末デバイスの操作を実行する。具体的に、当該端末デバイスは、上記の第１の形態又は第１の形態の任意可能な形態の端末デバイスの操作を実行するためのモジュールユニットを含む。
【００３８】
第４の形態は、ネットワークデバイスを提供し、当該ネットワークデバイスは、上記の第２の形態又は第２の形態の任意可能な形態のネットワークデバイスの操作を実行する。具体的に、当該ネットワークデバイスは、上記の第２の形態又は第２の形態の任意可能な形態のネットワークデバイスの操作を実行するためのモジュールユニットを含む。
【００３９】
第５の形態では、端末デバイスが提供され、端末デバイスは、プロセッサ、トランシーバ、およびメモリを備える。プロセッサ、トランシーバ、およびメモリは、内部接続パスを介して互いに通信する。メモリは命令を記憶し、プロセッサはメモリに記憶された命令を実行する。プロセッサがメモリに保存された命令を実行するとき、実行により、端末デバイスは、第１の形態または第１の形態の可能な方法を実行し、または実行により、端末デバイスに第３の形態により提供される端末デバイスを実現させる。
【００４０】
第６の形態では、ネットワークデバイスが提供され、ネットワークデバイスは、プロセッサ、トランシーバ、およびメモリを備える。プロセッサ、トランシーバ、およびメモリは、内部接続パスを介して互いに通信する。メモリは命令を記憶し、プロセッサはメモリに記憶された命令を実行する。プロセッサがメモリに保存された命令を実行するとき、実行により、ネットワークデバイスは、第２の形態または第２の形態の可能な方法を実行し、または実行により、ネットワークデバイスに第４の形態により提供されるネットワークデバイスを実現させる。
【００４１】
第７の形態では、コンピュータ可読記憶媒体が提供され、コンピュータ可読記憶媒体は、ネットワークデバイスに上記の第１の形態を実行させ、そのデータ伝送方法を実現させるプログラムを記憶する。
【００４２】
第８の形態では、コンピュータ可読記憶媒体が提供され、コンピュータ可読記憶媒体は、ネットワークデバイスに上記の第２の形態を実行させ、そのデータ伝送方法を実現させるプログラムを記憶する。
【００４３】
第９の形態では、システムチップが提供され、システムチップは、入力インターフェース、出力インターフェース、プロセッサ、およびメモリを備え、プロセッサは、メモリによって格納された命令を実行するように構成され、命令が実行されると、プロセッサは上記の第１の形態及びその実現方式の方法を実現する
第１０の形態では、システムチップが提供され、システムチップは、入力インターフェース、出力インターフェース、プロセッサ、およびメモリを備え、プロセッサは、メモリによって格納された命令を実行するように構成され、命令が実行されると、プロセッサは上記の第２の形態及びその実現方式の方法を実現する
【図面の簡単な説明】
【００４４】
【図１】本願の実施例における応用シーンの模式図である。
【図２】従来技術におけるＰＤＳＣＨのリソース構成の模式図である。
【図３】従来技術におけるＰＤＳＣＨのリソース構成の模式図である。
【図４】従来技術におけるＰＵＳＣＨのリソース構成の模式図である。
【図５】従来技術におけるＰＵＳＣＨのリソース構成の模式図である。
【図６】本願の実施例におけるデータ伝送方法のフローチャートである。
【図７】本願の実施例におけるＰＤＳＣＨのリソース構成の模式図である。
【図８】本願の実施例におけるＰＤＳＣＨのリソース構成の模式図である。
【図９】本願の実施例におけるＰＵＳＣＨのリソース構成の模式図である。
【図１０】本願の実施例におけるＰＵＳＣＨのリソース構成の模式図である。
【図１１】本願の実施例におけるデータ伝送方法のフローチャートである。
【図１２】本願の実施例におけるＰＤＳＣＨの複数のスロットのリソース構成の模式図である。
【図１３】本願の実施例における端末デバイスのブロック図である。
【図１４】本願の実施例におけるネットワークデバイスのブロック図である。
【図１５】本願の実施例における端末デバイスの構成図である。
【図１６】本願の実施例におけるネットワークデバイスの構成図である。
【図１７】本願の実施例におけるシステムチップの構成図である。
【発明を実施するための形態】
【００４５】
以下は、本願の適用例における技術的解決策の明確かつ完全な説明である。
【００４６】
本願の実施例の技術的解決策は、移動通信システムのグローバルシステム（ＧＳＭ）システム、シンボル分割多元接続（ＣＤＭＡ）システム、広帯域シンボル分割多元接続（ＷＣＤＭＡ）システム、一般パケット無線サービス（ＧＰＲＳ）、ロングタームエボリューション（ＬＴＥ）システム、ＬＴＥ周波数分割二重（ＦＤＤ）システム、ＬＴＥ時分割複信（ＴＤＤ）、ユニバーサルモバイルテレコミュニケーションシステム（ＵＭＴＳ）、または将来の５Ｇシステムに適用できることを理解されたい。
【００４７】
本願の実施例における端末デバイスは、ユーザ機器（ＵＥ）、アクセス端末、加入者ユニット、加入者局、移動局、移動局、遠隔局、遠隔端末、モバイルデバイス、ユーザ端末、端末、無線デバイス、 通信デバイス、ユーザーエージェント、またはユーザーデバイス。アクセス端末は、携帯電話、コードレス電話、セッション開始プロトコル（ＳＩＰ）電話、無線ローカルループ（ＷＬＬ）ステーション、携帯情報端末（ＰＤＡ）、無線通信を備える端末、ワイヤレスモデム、車載デバイス、ウェアラブルデバイス、将来の５Ｇネットワークの端末デバイス、またはＰｕｂｌｉｃ Ｌａｎｄ Ｍｏｂｉｌｅ Ｎｅｔｗｏｒｋ（ＰＬＭＮ）の将来のデバイスであってもよい。
【００４８】
本願の実施例におけるネットワークデバイスは、端末デバイスと通信するためのデバイスであっても良く、ＧＳＭまたはＣＤＭＡにおける基地トランシーバ局（ＢＴＳ）であっても良く、またはＷＣＤＭＡシステムにおける基地局（ＮｏｄｅＢ、ＮＢ）、ＬＴＥシステムの進化した基地局（ｅＮＢまたはｅＮｏｄｅＢ）、クラウド無線アクセスネットワーク（ＣＲＡＮ）シナリオのワイヤレスコントローラー、中継局、アクセスポイント、車載デバイス、ウェアラブルデバイス、および将来の５Ｇネットワークのネットワークデバイス、または将来の進化したＰＬＭＮネットワークのネットワークデバイスであっても良い。
【００４９】
図１は、本願の実施例の適用シーンの模式図である。図１の通信システムは、端末デバイス２０およびネットワークデバイス１０を含み得る。ネットワークデバイス１０は、端末デバイス２０に通信サービスを提供し、コアネットワークにアクセスするように構成されている。端末デバイス２０は、ネットワークデバイス１０が送信する同期信号、ブロードキャスト信号などを検索してネットワークにアクセスし、ネットワークと通信する。図１に示される矢印は、端末デバイス２０とネットワークデバイス１０との間のセルラーリンクを介したアップリンク／ダウンリンクを表してもよい。
【００５０】
本願の実施例におけるネットワークは、公衆陸上移動ネットワーク（ＰＬＭＮ）またはデバイスツーデバイス（Ｄ２Ｄ）ネットワークまたはマシンツーマシン（マシンツーマシン）、（Ｍａｃｈｉｎｅ ｔｏ Ｍａｃｈｉｎｅ／Ｍａｎ：Ｍ２Ｍ）ネットワークまたは他のネットワークであってもよく、図１が簡略化された概略図に過ぎず、ネットワークに図２に示されていない他の端末デバイスも含むことができる。
【００５１】
現在のロングタームエボリューション(Ｌｏｎｇ Ｔｅｒｍ Ｅｖｏｌｕｔｉｏｎ：ＬＴＥ)システムのシステム帯域幅全体にわたって、物理下り制御チャネル(Ｐｈｙｓｉｃａｌ Ｄｏｗｎｌｉｎｋ Ｃｏｎｔｒｏｌ Ｃｈａｎｎｅｌ：ＰＤＣＣＨ)が、１つのサブフレーム中の前のいくつかのシンボルを占有して伝送し、ＰＤＣＣＨが占有するシンボル数は、同じサブフレーム中の物理制御フォーマット指示チャネル(Ｐｈｙｓｉｃａｌ Ｃｏｎｔｒｏｌ Ｆｏｒｍａｔ Ｉｎｄｉｃａｔｏｒ Ｃｈａｎｎｅｌ：ＰＣＦＩＣＨ)によって指示され、したがって、物理下り共有チャネル(Ｐｈｙｓｉｃａｌ Ｄｏｗｎｌｉｎｋ Ｓｈａｒｅｄ ＣＨａｎｎｅｌ：ＰＤＳＣＨ)が、１つのサブフレーム内でどのシンボルを占有するかは、同じサブフレーム中でＰＣＦＩＣＨによって指示されるＰＤＣＣＨが占有するシンボルの情報から導出されることができるが、端末に指示する必要としない。
【００５２】
しかし、５ＧＮＲ( Ｎｅｗ Ｒａｄｉｏ)システムでは、１つの時間領域リソースユニット、または時間領域スケジューリング単位、例えばスロット（ｓｌｏｔ）、ミニスロット（ｍｉｎｉ−ｓｌｏｔ）において、いくつかのシンボルがＰＤＣＣＨで存在することもあり得るが、具体的には、いくつかのシンボルがＰＤＣＣＨを伝送するために使用されるか、各リソースブロック(Ｐｈｙｓｉｃａｌ Ｒｅｓｏｕｒｃｅ Ｂｌｏｃｋ：ＰＲＢ)に異なってもよい。基地局からあるＰＲＢにおいて端末にＰＤＳＣＨが伝送される場合、そのＰＲＢ内でＰＤＳＣＨを伝送するための開始シンボルは、下り制御情報(Ｄｏｗｎｌｉｎｋ Ｃｏｎｔｒｏｌ Ｉｎｆｏｒｍａｔｉｏｎ：ＤＣＩ)によって指示されてもよい。また、５Ｇシステムでは、「双方向スロット」をサポートし、すなわち、１つのスロットの前半は下り伝送に用いられ、後半は上り伝送に用いられることができるので、１つのスロットの最後のいくつかのシンボルは、ＰＤＳＣＨではなく、物理上りリンク制御チャネル(Ｐｈｙｓｉｃａｌ Ｕｐｌｉｎｋ Ｃｏｎｔｒｏｌ Ｃｈａｎｎｅｌ：ＰＵＣＣＨ)などの上りチャネルの伝送に用いられることがあり、そのスロットでそのＰＵＣＣＨが占有するシンボル数もＤＣＩによって指示されてもよい。したがって、５Ｇシステムにおける１つのスロット内のどのシンボルがＰＤＳＣＨの送信に使用されるかも、ＤＣＩによって知られることができる。
【００５３】
物理上り共有チャネル(Ｐｈｙｓｉｃａｌ Ｕｐｌｉｎｋ Ｓｈａｒｅｄ Ｃｈａｎｎｅｌ：ＰＵＳＣＨ)は、ＬＴＥシステムにおいて、１つのサブフレーム内で何シンボルを占めるかがフレーム構造から静的に確定されるため、基地局で端末に割り当てられるＰＵＳＣＨを伝送するためのリソースは、サブフレーム内でリソース位置が完全に確定され、端末に別途指示する必要がない。しかしながら、５Ｇシステムでは、１つの時間領域リソースユニットにおいて、基地局が端末のためにあるＰＲＢをスケジューリングした後、そのＰＲＢ内のＰＵＳＣＨが時間領域リソースユニット全体を占有する可能性があり、その時間領域リソースユニットのうちのいくつかのシンボルだけが占有される可能性もあり、他のシンボルはＰＵＣＣＨ、ＰＤＣＣＨ等の他のチャネルによって占有される。したがって、５Ｇシステムでは、ＰＵＣＣＨ、ＰＤＣＣＨなどを伝送するためのリソース位置がＤＣＩによって示される。
【００５４】
また、５Ｇシステムでは、スロットを跨ってスケジューリングすることがサポートされており、つまり、ｎ＋ｉ番目のスロットのデータチャネルの送信（ｎ、ｉは正の整数）は、ｎ番目のスロットで送信されるＤＣＩによってスケジュールされる。しかし、基地局は、ｎ番目のスロットにおいて、ｎ＋ｉ番目のスロットで制御チャネルまたはデータチャネルを伝送するための時間領域リソースの位置を確定していない場合、ｎ＋ｉ番目のスロットでのデータチャネルをスケジューリングすることができない。
【００５５】
例えば、図２に示されるＰＤＳＣＨのリソース構成の方式のように、ｎ＋ｉ番目のスロットの開始のシンボルが下り制御チャネルＰＤＣＣＨによって占有されており、基地局がＰＤＣＣＨを伝送するための時間領域リソースの長さを特定する時刻Ｔ２が、ｎ番目のスロットにおけるＤＣＩ(ＰＤＳＣＨを搬送する下りリソース構成(Ｄｏｗｎｌｏａｄ Ａｓｓｉｇｎｍｅｎｔ：ＤＬ Ａｓｓｉｇｎｍｅｎｔ)の情報)が送信される時刻Ｔ１よりも遅いと、端末デバイスは、受信したＤＬ ＡｓｓｉｇｎｍｅｎｔからＰＤＣＣＨを伝送するための時間領域リソースの位置、つまりＰＤＳＣＨを伝送するための正確な時間領域リソースの位置を予め知ることができなくなる。
【００５６】
また、例えば、図３に示すＰＤＳＣＨのリソース構成の方式のように、ｎ＋ｉ番目のスロットの開始のシンボルは下り制御チャネルＰＤＣＣＨで占められ、ｎ＋ｉ番目のスロットの末尾のシンボルは上り制御チャネルＰＵＣＣＨで占められ、基地局が、そのスロットの末尾でＰＵＣＣＨを伝送するか否かを確定するタイミング、または、基地局が、そのスロットにおいてＰＵＣＣＨを伝送する時間領域リソースの長さを確定するタイミングＴ２が、ｎ番目のスロットにおけるＤＣＩ (ＰＤＳＣＨを搬送するＤＬ Ａｓｓｉｇｎｍｅｎｔの情報)送信のタイミングＴ１よりも遅い場合、端末デバイスは、受信したＤＬ Ａｓｓｉｇｎｍｅｎｔから、そのスロットにおける上りチャネルの有無およびその上りチャネルを伝送する時間領域リソースの位置を予め知ることができず、ＰＤＳＣＨを伝送するための正確な時間領域リソースの位置を予め知ることができない。
【００５７】
また、例えば、図４に示すＰＵＳＣＨのリソース構成の方式のように、ｎ＋ｉ番目のスロットの一部のシンボルが上り制御チャネルＰＵＣＣＨで占有され、基地局がＰＵＣＣＨを伝送するための時間領域リソースの長さを確定する時刻Ｔ２が、ｎ番目のスロットにおけるＤＣＩ (ＰＵＳＣＨを搬送する上りリソース構成(Ｕｐｌｉｎｋ Ｇｒａｎｔ：ＵＬ Ｇｒａｎｔ)の情報)が送信される時刻Ｔ１よりも遅い場合、端末デバイスは、受信したＤＬ ＡｓｓｉｇｎｍｅｎｔからＰＵＣＣＨを伝送するための時間領域リソースの位置、すなわちＰＵＳＣＨを伝送するための正確な時間領域リソースの位置を予め知ることができなくなる。
【００５８】
また、例えば、図５に示すＰＵＳＣＨのリソース構成の方式のように、ｎ＋ｉ番目のスロットの開始のシンボルが上り制御チャネルＰＤＣＣＨで占有され、かつ、そのスロット中の一部のシンボルが上りチャネル、例えばＰＵＣＣＨで占有され、基地局がそのスロットの開始で下りチャネルを伝送するか否かを特定する時刻、又は基地局がそのスロット中でその下りチャネルを伝送するための時間領域リソースの長さを特定する時刻Ｔ２が、ｎ番目のスロット中のＤＣＩ(ＰＵＳＣＨを搬送するＵＬ Ｇｒａｎｔの情報)送信の時刻Ｔ１より遅い場合、端末デバイスは、受信したＵＬ Ｇｒａｎｔからそのスロットにおける上りチャネルの有無およびその上りチャネルを伝送するための時間領域リソースの位置を予め知ることができず、ＰＵＳＣＨを伝送するための正確な時間領域リソースの位置も予め知ることができない。
【００５９】
図６は本願の実施例におけるデータ伝送方法６００のフローチャートである。図６のデータ伝送方法は、端末デバイス、例えば図１の端末デバイス２０により実行されてもよい。図６に示すように、当該データ伝送プロセスは、６１０〜６３０を含む。
【００６０】
６１０において、端末デバイスが、第１の時刻において、ネットワークデバイスにより送信された第１のリソース指示情報を受信する。
【００６１】
ここで、当該第１の時刻は、ｎ番目の時間領域リソースユニットに位置し、当該第１のリソース指示情報は、ｎ＋ｉ番目の時間領域リソースユニットにおいて端末デバイスのターゲットチャネルを伝送するための周波数領域リソースを示し、当該ターゲットチャネルは、端末デバイスのデータチャネル又は制御チャネルを含み、ｎとｉとが、正の整数である。
【００６２】
具体的に、端末デバイスは、ｎ番目の時間領域リソースユニット（時間領域スケジューリング単位）の第１の時刻において、ネットワークデバイスにより送信された第１のリソース指示情報を受信し、当該第１のリソース指示情報は、ｎ＋ｉ番目の時間領域リソースユニットにおいて前記端末デバイスのターゲットチャネルを伝送するための周波数領域リソースを示す。つまり、ｎ番目の時間領域リソースユニットで送信された第１のリソース指示情報は、ｎ＋ｉ番目の時間領域リソースユニットにおいてターゲットチャネルが伝送する周波数領域リソースをスケジューリングしたものである。このように、スロットを跨ってスケジューリングして、端末デバイスがその後のデータ伝送に十分な時間を備えている。
【００６３】
なお、本願の実施例において、ｎ番目の時間領域リソースユニットとｎ＋ｉ番目の時間領域リソースユニットとは、２つの時間領域リソースユニットの間の時間領域の位置関係を示し、ｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる
任意選択で、端末デバイスのデータチャネルは、上りデータチャネル、下りデータチャネル、及びサイドリンクデータチャネルのうちの少なくとも１つを含む。
【００６４】
６２０において、端末デバイスは、前記第１の時刻の後の第２の時刻において、前記ネットワークデバイスにより送信された第２のリソース指示情報を受信する。
【００６５】
ここで、当該第２のリソース指示情報は、ｎ＋ｉ番目の時間領域リソースユニットにおいて当該データチャネルを伝送するための時間領域リソースを示す。
【００６６】
任意選択で、ｎ＋ｉ番目の時間領域リソースユニットにおいて当該ターゲットチャネルを伝送するための当該時間領域リソースは、ネットワークデバイスが前記第１の時刻の後に確定したものである。
【００６７】
任意選択で、当該第２のリソース指示情報は、当該端末デバイスの専有情報（ＵＥ ｓｐｅｃｉｆｉｃ）である。
【００６８】
任意選択で、当該ｎ番目の時間領域リソースユニットは、ｎ番目のスロット、ｎ番目のミニスロット、及びｎ番目のサブフレームのうちの少なくとも１つを含む。
【００６９】
５Ｇシステムにおいて、時間領域リソースユニットは、スロット（ｓｌｏｔ）、ミニスロット（ｍｉｎｉ−ｓｌｏｔ、又はマイクロスロット）、又はサブフレーム（ｓｕｂｆｒａｍｅ）であってもよい。ｎ番目の時間領域リソースユニットは、ｎ番目のスロット、ｎ番目のミニスロット、及びｎ番目のサブフレームであってもよく、ｎ＋ｉ番目の時間領域リソースユニットは、ｎ＋ｉ番目のスロット、ｎ＋ｉ番目のミニスロット及びｎ＋ｉ番目のサブフレームであってもよい。
【００７０】
任意選択で、端末デバイスが当該第１のリソース指示情報を受信する物理チャネルは、当該第２のリソース指示情報を受信する物理チャネルとが異なってもよい。
【００７１】
スロットを跨ってスケジューリングする際、ｎ番目のスロットにおいて、ネットワークデバイスは、ｎ＋ｉ番目のスロットにおいて制御チャネル又はデータチャネルを伝送するための時間領域リソース位置を確定しない可能性があり、この場合、ｎ＋ｉ番目のスロットのターゲットチャネルへのスケジューリングを事前に実現することができない。そして、ネットワークデバイスは、まず第１のリソース指示情報を介して、ｎ＋ｉ番目の時間領域リソースユニットにおいて当該ターゲットチャネルを伝送するための周波数領域リソースを指示し、第１の時刻の後の第２の時刻において、ｎ＋ｉ番目の時間領域リソースユニットにおいて当該ターゲットチャネルを伝送するための時間領域リソースを端末デバイスに構成する。第２の時刻において、ネットワークデバイスは、ｎ＋ｉ番目の時間領域リソースユニットにおいて当該ターゲットチャネルを伝送するための時間領域リソースを既に用意した。
【００７２】
端末デバイスは、第１の時刻の後の第２の時刻において、ネットワークデバイスにより送信された第２のリソース指示情報を受信して、ｎ＋ｉ番目の時間領域リソースユニットにおいて当該ターゲットチャネルを伝送するための時間領域リソースを取得するため、第１のリソース指示情報及び第２のリソース指示情報に応じて、ｎ＋ｉ番目の時間領域リソースユニットにおいてターゲットチャネルを伝送するための時間領域リソースを確定することができる。
【００７３】
任意選択で、当該第２のリソース指示情報に示す前記時間領域リソースは、当該ｎ＋ｉ番目の時間領域リソースユニットにおいて当該ターゲットチャネルを伝送するためのシンボルの開始位置、当該ターゲットチャネルを伝送するためのシンボルの数、当該ターゲットチャネルを伝送するためのミニスロット、及び当該ターゲットチャネルを伝送するためのミニスロットの数のうちの少なくとも１つを含む。
【００７４】
具体的には、端末デバイスが受信する第２のリソース指示情報は、ｎ＋ｉ番目の時間領域リソースユニットにおいてターゲットチャネルを伝送するための時間領域リソースが占有するシンボルの開始位置及び/又は占有するシンボルの数を示すことができ、この第２のリソース指示情報は、ターゲットチャネルを伝送するための時間領域リソースがｎ＋ｉ番目の時間領域リソースユニット内で占有するミニスロットの開始位置および/または占有するミニスロットの数を示すこともでき、この時、１つの時間領域リソースユニット内にいくつかのミニスロットが含まれ、且つ、各ミニスロットに複数のシンボルが含まれ、第２のリソース指示情報は、ターゲットチャネルを伝送するための時間領域リソースがｎ＋ｉ番目の時間領域リソースユニットで占有するミニスロットの情報と、当該ミニスロットで占有するシンボルの情報とを示すことができる。これに限定されるものではない。
【００７５】
任意選択で、当該第２のリソース指示情報は、さらに、当該時間領域リソースの識別子を含むことができ、当該第２のリソース指示情報に示す当該時間領域リソースは、予め設定された複数の時間領域リソースのうちの当該識別子に対応する時間領域リソースである。
【００７６】
つまり、ｎ＋ｉ番目の時間領域リソースユニットでターゲットチャネルを伝送するための時間領域リソースは、予め設定された多種の時間領域リソース構成のうちの１つであってもよく、具体的に、時間領域リソースに対応する識別子によって確定されてもよい。例えば、識別子１に対応する時間領域リソースがスロット内の２〜７番目のシンボルであり、識別子２に対応する時間領域リソースがスロット内の３〜７番目のシンボルであり、第２のリソース指示情報に識別子１が含まれる場合、そのスロット内で端末デバイスは２〜７番目のシンボルでターゲットチャネルを伝送する。
【００７７】
任意選択で、当該第１のリソース指示情報は、さらに、当該ｎ＋ｉ番目の時間領域リソースユニットにおいて当該ターゲットチャネルを伝送するための時間領域リソースを示す。
【００７８】
第１のリソース指示情報は、ｎ＋ｉ番目の時間領域リソースユニットにおいて当該ターゲットチャネルを伝送するための周波数領域リソースとともに、当該ｎ＋ｉ番目の時間領域リソースユニットにおいて当該ターゲットチャネルを伝送するための時間領域リソースを示す場合、端末デバイスは、以下の２つの方式で第１のリソース指示情報及び第２のリソース指示情報を連携して処理することができる。
【００７９】
方式１
任意選択で、当該方法は、さらに、端末デバイスは、第１のリソース指示情報に示す時間領域リソースと第２のリソース指示情報に示す時間領域リソースと同じであるかどうかを確定し、第１のリソース指示情報に示す時間領域リソースと第２のリソース指示情報に示す時間領域リソースと異なる場合、端末デバイスは、第２のリソース指示情報に示す当該時間領域リソースを利用して当該ターゲットチャネルを伝送すると確定する。
【００８０】
この実施例において、第１のリソース指示情報に示すｎ＋ｉ番目の時間領域リソースユニットにおいてターゲットチャネルを伝送する時間領域リソースと、第２のリソース指示情報に示すｎ＋ｉ番目の時間領域リソースユニットにおいてデータを伝送する時間領域リソースとは、異なり、又は、競合する場合、端末デバイスは、第２のリソース指示情報に示す当該時間領域リソースを、ｎ＋ｉ番目の時間領域リソースユニットにおいてターゲットチャネルを伝送する時間領域リソースとして選定する。
【００８１】
リソーススケジューリングを行う時、ネットワークデバイスは、第１の時間領域リソースを介して１つの所定の時間領域リソース位置を端末デバイスに指示し、当該所定の時間領域リソース位置は、例えば、統計された端末デバイスの使用する可能性が一番大きいターゲットチャネルの伝送位置であり、第１の時刻の後に、端末デバイスが第２のリソース指示情報を受信しない場合、当該端末デバイスは、第１のリソース指示情報に示す時間領域リソースにおいてターゲットチャネルを伝送すると確定し、第１の時刻の後に、ネットワークデバイスは、ｎ＋ｉ番目の時間領域リソースユニットにおいてターゲットチャネルを伝送するための時間領域リソースを新たに確定した場合、端末デバイスは、ネットワークデバイスが第２の時刻に送信した第２のリソース指示情報を受信し、当該第２のリソース指示情報に示す時間領域リソース位置を基準とし、第２のリソース指示情報に示す時間領域リソースにおいてターゲットチャネルを伝送すると確定する。第２のリソース指示情報は、第１のリソース指示情報の補完又は修正と考えることができ、端末デバイスは、第２のリソース指示情報を受信した場合には第２のリソース指示情報に示す時間領域リソースをターゲットチャネルを伝送するための時間領域リソースとする
方式２
任意選択で、当該方法は、さらに、端末デバイスは、第２のリソース指示情報に応じて、第１のリソース指示情報に示す時間領域リソースの範囲において、当該ターゲットチャネルを伝送するための当該時間領域リソースを確定する。
【００８２】
この実施例において、第１のリソース指示情報に示すｎ＋ｉ番目の時間領域リソースユニットにおいてターゲットチャネルを伝送する時間領域リソースの範囲は、第２のリソース指示情報に示すｎ＋ｉ番目の時間領域リソースユニットにおいてデータを伝送する時間領域リソースより大きい。ネットワークデバイスは、先に、第１のリソース指示情報を介して、時間領域リソースの大体の範囲を端末デバイスに指示し、ｎ＋ｉ番目の時間領域リソースユニットにおいてターゲットチャネルを伝送する時間領域リソースを確定した後、第２のリソース指示情報を介して、ｎ＋ｉ番目の時間領域リソースユニットにおいてターゲットチャネルを伝送する時間領域リソース位置を具体的に指示することができる。
【００８３】
ターゲットチャネルがデータチャネルであることを例とし、時間領域リソースユニットがサブフレームであると仮定し、第１のリソース指示情報に示すｎ＋ｉ番目のサブフレームにおいてデータチャネルを伝送する時間領域リソースは、当該サブフレーム内の１番目のスロットであり、第２のリソース指示情報に示すｎ＋ｉ番目のサブフレームにおいてデータチャネルを伝送する時間領域リソースは、当該１番目のスロット内の２〜７番目のシンボルである。
【００８４】
また、例えば、時間領域リソースユニットがスロットであり、第１のリソース指示情報に示すｎ＋ｉ番目のスロットにおいてデータチャネルを伝送する時間領域リソースは、当該サブフレーム内の１番目のミニスロットであり、第２のリソース指示情報に示すｎ＋ｉ番目のスロットにおいてデータチャネルを伝送する時間領域リソースは、当該１番目のミニスロット内の１番目のシンボルである。
【００８５】
任意選択で、６２０において、端末デバイスは、第１の時刻の後の第２の時刻において前記ネットワークデバイスにより送信された第２のリソース指示情報を受信することは、端末デバイスは、第１の時刻の後の第２の時刻において、予め設定された周波数領域リソースにおいてネットワークデバイスにより送信された当該第２のリソース指示情報を受信することを含む。
【００８６】
即ち、端末デバイスが第２のリソース指示情報を受信する時間領域リソースは、予め設定されたものである。例えば、第２のリソース指示情報の時間領域リソース位置と第１のリソース指示情報の時間領域リソース位置との間に固定の位置関係がある。端末デバイスは、第１のリソース指示情報を受信した後、どの時間領域リソースにおいて第２のリソース指示情報を受信することを把握する。ここで、当該第２のリソース指示情報を受信する時間領域リソースは、当該第２の時刻である。
【００８７】
さらに、任意選択で、第１のリソース指示情報は、第２のリソース指示情報を受信するための当該第２の時刻及び当該予め設定された周波数領域リソースを含み、端末デバイスがネットワークデバイスにより送信された第２のリソース指示情報を受信する前に、当該方法は、さらに、
端末デバイスは、当該第１のリソース指示情報に応じて、当該第２のリソース指示情報を受信するための第２の時刻及び当該予め設定された周波数領域リソースを確定する。
【００８８】
即ち、端末デバイスが第２のリソース指示情報を受信するための時間領域リソースの情報は、第１のリソース指示情報に含まれる。端末デバイスは、第１の時刻に第１のリソース指示情報を受信した後、第１のリソース指示情報から、ｎ＋ｉ番目の時間領域リソースユニットにおいてターゲットチャネルを伝送するための周波数領域リソースとともに、第２のリソース指示情報を受信するための時間領域リソース即ち第２の時刻及び周波数領域リソースを取得することができ、そして、端末デバイスは、第２の時刻に受信した第２のリソース指示情報から、ｎ＋ｉ番目の時間領域リソースユニットにおいてターゲットチャネルを伝送するための時間領域リソースを取得する。
【００８９】
任意選択で、６２０の後に、当該方法は、６３０を含む。
【００９０】
６３０において、端末デバイスは、ｎ＋ｉ番目の時間領域リソースユニットの当該周波数領域リソース及び当該時間領域リソースにおいて、ネットワークデバイスに当該ターゲットチャネルを送信し、又は、ネットワークデバイスにより送信された当該ターゲットチャネルを受信する。
【００９１】
端末デバイスは、第１のリソース指示情報に応じて、ターゲットチャネルを伝送するための周波数領域リソースを取得し、第２のリソース指示情報に応じて、ターゲットチャネルを伝送するための時間領域リソースを取得することで、ｎ＋ｉ番目の時間領域リソースユニットの当該周波数領域リソース及び当該時間領域リソースにおいて、ネットワークデバイスに当該ターゲットチャネルを送信し、又はネットワークデバイスにより送信された当該ターゲットチャネルを受信する。
【００９２】
上記方法は上り及び下り伝送の場面に適用でき、当該ターゲットチャネルはデータチャネル又は制御チャネルであってもよく、当該データチャネルは上りデータチャネルであってもよいし、下りデータチャネルであってもよいし、サイドリンク（ｓｉｄｅ  ｌｉｎｋ）データチャネルであってもよい。特に、端末デバイスは、上りデータチャネルまたは制御チャネルの送信に関し、第１のリソース指示情報が含まれるＤＣＩを予め取得し、上りデータチャネルの伝送に十分な時間を用意し、第２のリソース指示情報を受信することにより、上りデータチャネルが上り下り制御チャネルによって占有されているか否か、上りデータチャネルの時間領域リソースの位置を知ることができ、上りデータチャネルの伝送中に他の制御チャネルからの干渉を受けることがない。
【００９３】
本願の実施例におけるデータ伝送方法によって、端末デバイスは、伝送リソース情報が含まれる下り制御情報を受信した後、ネットワークデバイスにより追加されて送信された、上り／下りチャネルのリソースを示す指示情報を受信することで、事前スケジューリングの上で上り／下りチャネルを伝送するためのリソース位置を正確に把握することができる。
【００９４】
以下、図７〜図１０を例に挙げて、本願の実施例におけるデータ伝送方法について詳細に説明する。図７〜図１０は、ターゲットチャネルがデータチャネルである例を説明する。
【００９５】
例えば、図７に示されるようなＰＤＳＣＨのリソース構成方式のように、ｎ＋ｉ番目のスロットにおける開始の時間領域リソースは、下り制御チャネルＰＤＣＣＨによって占有される。ネットワークデバイスは、ｎ番目のスロットにおいて、第１のリソース指示情報を端末デバイスに送信することによって、ＰＤＳＣＨの伝送リソースをスケジューリングするが、第１のリソース指示情報の送信時刻であるＴ１時刻において、ｎ＋ｉ番目のスロットにおいてＰＤＣＣＨが占有する時間領域リソースの位置が未確定であり、ＰＤＣＣＨが占有する時間領域リソースが確定された後、時点Ｔ２において、ＰＤＳＣＨの伝送に用いる時間領域リソースを示めす第２のリソース指示情報を端末デバイスに送信することで、ｎ＋ｉ番目のスロットにおいてＰＤＳＣＨの伝送に用いる正確な時間領域リソースを端末デバイスに追加して指示することによって、端末デバイスがＰＤＣＣＨを誤ってＰＤＳＣＨとして受信してしまうことを回避し、ＰＤＳＣＨの復調及び復号性能を確保することができる。
【００９６】
また、例えば、図８に示すＰＤＳＣＨのリソース構成方式のように、ｎ＋ｉ番目のスロットにおける開始の時間領域リソースは、下り制御チャネルＰＤＣＣＨによって占有され、さらに、そのスロット末尾部分の時間領域リソースは、上りチャネル、例えば、ＰＵＣＣＨによって占有される。ネットワークデバイスは、ｎ番目のスロットにおいて、端末デバイスに第１のリソース指示情報を送信してＰＤＳＣＨの伝送リソースをスケジューリングするが、第１のリソース指示情報の送信時刻である時刻Ｔ１において、ｎ＋ｉ番目のスロットにＰＤＣＣＨ及びＰＵＣＣＨが存在するか否か、並びに、当該スロットにおけるＰＤＣＣＨ及びＰＵＣＣＨの伝送に用いられる時間領域リソースの位置が未確定であり、当該スロットにおけるＰＤＣＣＨ及びＰＵＣＣＨの伝送に用いられる時間領域リソースの位置が確定された後、ネットワークデバイスは、時刻Ｔ２において、ＰＤＳＣＨの伝送に用いられる時間領域リソースを示す第２のリソース指示情報を端末デバイスに送信することができ、これにより、ｎ＋ｉ番目のスロットにおけるＰＤＳＣＨの伝送に用いられる正確な時間領域リソースを追加して指示することによって、端末デバイスがＰＤＣＣＨ及びＰＵＣＣＨを誤ってＰＤＳＣＨとして受信することを回避し、ＰＤＳＣＨの復調及び復号性能を確保することができる。
【００９７】
また、例えば、図９に示すＰＵＳＣＨのリソース構成方式のように、ｎ＋ｉ番目のスロットにおける開始の時間領域リソースと末尾の時間領域リソースとが、上り制御チャネルＰＵＣＣＨで占有される可能性がある。ネットワークデバイスは、ｎ番目のスロットで第１のリソース指示情報を端末デバイスに送信してＰＵＳＣＨの伝送リソースをスケジューリングするが、第１のリソース指示情報の送信時刻であるＴ１時刻において、ｎ＋ｉ番目のスロットでＰＵＣＣＨが占有する時間領域リソースの位置が未確定であり、ＰＵＣＣＨが当該スロットにおいて占有する時間領域リソースが確定された後、ネットワークデバイスは、時刻Ｔ２において第２のリソース指示情報を送信して、ＰＵＳＣＨの伝送に用いる時間領域リソースを端末デバイスに指示することができ、これによって、ｎ＋ｉ番目のスロットでＰＵＳＣＨの伝送に用いる正確な時間領域リソースを端末デバイスに追加して指示し、端末デバイスが送信するＰＵＳＣＨと他の端末デバイスが送信するＰＵＣＣＨとの衝突を回避し、ＰＤＳＣＨとＰＵＣＣＨとの相互干渉を回避し、ＰＵＳＣＨとＰＵＣＣＨの伝送性能を改善することができる。
【００９８】
また、例えば、図１０に示すＰＵＳＣＨのリソース構成方式のように、ｎ＋ｉ番目のスロットにおける時間領域リソースは下り制御チャネルＰＤＣＣＨで占有され、かつ、ｎ＋ｉ番目のスロットにおける時間領域リソースはＰＵＣＣＨとＰＤＣＣＨで占有される。ネットワークデバイスは、ｎ番目のスロットで第１のリソース指示情報を端末デバイスに送信してＰＵＳＣＨの伝送リソースをスケジューリングするが、第１のリソース指示情報の送信時刻であるＴ１時刻では、ｎ＋ｉ番目のスロットにＰＤＣＣＨとＰＵＣＣＨが存在するか否か、および当該スロットにおいてＰＤＣＣＨとＰＵＣＣＨを伝送する時間領域リソースの位置が確定していないので、ＰＤＣＣＨとＰＵＣＣＨを伝送する時間領域リソースの位置が確定した後、ネットワークデバイスは、Ｔ２時刻で第２のリソース指示情報を送信して、ＰＵＳＣＨを伝送する時間領域リソースを端末デバイスに指示することができ、ｎ＋ｉ番目のスロットでＰＵＳＣＨを伝送する正確な時間領域リソースを端末デバイスに追加して指示して、ＰＵＳＣＨとネットワーク装置が送信する下りチャネルとの相互干渉を回避し、ＰＵＳＣＨと下りチャネルの伝送性能を向上させることができる。
【００９９】
図１１は本願の実施例におけるデータ伝送方法１１００のフローチャートである。図１１のデータ伝送方法は、ネットワークデバイス、例えば図１のネットワークデバイス１０により実行されてもよい。図１１に示すように、当該データ伝送プロセスは、１１１０〜１１３０を含む。
【０１００】
１１１０において、ネットワークデバイスが第１の時刻において端末デバイスに第１のリソース指示情報を送信する。
【０１０１】
ここで、当該第１の時刻は、ｎ番目の時間領域リソースユニットに位置し、当該第１のリソース指示情報は、ｎ＋ｉ番目の時間領域リソースユニットにおいて当該端末デバイスのターゲットチャネルを伝送するための周波数領域リソースを示し、前記ターゲットチャネルが、前記端末デバイスのデータチャネル又は制御チャネルを含み、ｎとｉとが、正の整数であり、
具体的に、ネットワークデバイスは、ｎ番目の時間領域リソースユニット（時間領域スケジューリング単位）の第１の時刻において、端末デバイスに第１のリソース指示情報を送信し、当該第１のリソース指示情報は、ｎ＋ｉ番目の時間領域リソースユニットにおいて前記端末デバイスのターゲットチャネルを伝送するための周波数領域リソースを示す。つまり、ｎ番目の時間領域リソースユニットで送信された第１のリソース指示情報は、ｎ＋ｉ番目の時間領域リソースユニットにおいてターゲットチャネルが伝送する周波数領域リソースをスケジューリングしたものである。このように、スロットを跨ってスケジューリングして、端末デバイスがその後のデータ伝送に十分な時間を備えている。
【０１０２】
なお、ここのｎ番目の時間領域リソースユニットは現在の時間領域リソースユニットとして理解され、ｎ＋ｉ番目の時間領域リソースユニットは現在の時間領域リソースユニットの後のｉ番目の時間領域リソースユニットである。つまり、ｎ番目の時間領域リソースユニットは、第１の時間領域リソースユニットに置き換えられ、ｎ＋ｉ番目の時間領域リソースユニットは、第２の時間領域リソースユニットに置き換えられ、第２の時間領域リソースユニットは、第１の時間領域リソースユニットの後の任意の時間領域リソースユニットである。任意選択で、第２の時間領域リソースユニットが第１の時間領域リソースユニットの後のｉ番目の時間領域リソースユニットである場合、第１のリソース指示情報はさらにｉの値を含むことができる。
【０１０３】
任意選択で、当該データチャネルは、上りデータチャネル、下りデータチャネル、及びサイドリンクデータチャネルのうちの少なくとも１つを含む。
【０１０４】
１１２０において、ネットワークデバイスは、当該第１の時刻の後の第２の時刻に、端末デバイスに第２のリソース指示情報を送信する。
【０１０５】
ここで、当該第２のリソース指示情報は、ｎ＋ｉ番目の時間領域リソースユニットにおいて当該ターゲットチャネルを伝送するための時間領域リソースである。
【０１０６】
任意選択で、ｎ＋ｉ番目の時間領域リソースユニットにおいて当該ターゲットチャネルを伝送するための当該時間領域リソースは、ネットワークデバイスが第１の時刻の後に確定したものである。
【０１０７】
任意選択で、当該第２のリソース指示情報は、当該端末デバイスの専有情報（ＵＥ ｓｐｅｃｉｆｉｃ）である。
【０１０８】
任意選択で、当該ｎ番目の時間領域リソースユニットは、ｎ番目のスロット、ｎ番目のミニスロット、及びｎ番目のサブフレームのうちの少なくとも１つを含む。
【０１０９】
任意選択で、端末デバイスが当該第１のリソース指示情報を受信する物理チャネルは、当該第２のリソース指示情報を受信する物理チャネルとが異なってもよい。
【０１１０】
スロットを跨ってスケジューリングする際、ｎ番目のスロットにおいて、ネットワークデバイスは、ｎ＋ｉ番目のスロットにおいて制御チャネル又はデータチャネルを伝送するための時間領域リソース位置を確定しない可能性があり、この場合、ネットワークデバイスは、ｎ＋ｉ番目のスロットのターゲットチャネルへのスケジューリングを事前に実現することができない。そして、ネットワークデバイスは、まず第１のリソース指示情報を介して、ｎ＋ｉ番目の時間領域リソースユニットにおいて当該ターゲットチャネルを伝送するための周波数領域リソースを指示し、第１の時刻の後の第２の時刻において、ｎ＋ｉ番目の時間領域リソースユニットにおいて当該ターゲットチャネルを伝送するための時間領域リソースを端末デバイスに構成する。第２の時刻において、ネットワークデバイスは、ｎ＋ｉ番目の時間領域リソースユニットにおいて当該ターゲットチャネルを伝送するための時間領域リソースを既に用意した。
【０１１１】
任意選択で、当該第２のリソース指示情報に示す前記時間領域リソースは、当該ｎ＋ｉ番目の時間領域リソースユニットにおいて当該ターゲットチャネルを伝送するためのシンボルの開始位置、当該ターゲットチャネルを伝送するためのシンボルの数、当該ターゲットチャネルを伝送するためのミニスロット、及び当該ターゲットチャネルを伝送するためのミニスロットの数のうちの少なくとも１つを含む。
【０１１２】
具体的には、端末デバイスが受信する第２のリソース指示情報は、ｎ＋ｉ番目の時間領域リソースユニットにおいてターゲットチャネルを伝送するための時間領域リソースが占有するシンボルの開始位置及び/又は占有するシンボルの数を示すことができ、この第２のリソース指示情報は、ターゲットチャネルを伝送するための時間領域リソースがｎ＋ｉ番目の時間領域リソースユニット内で占有するミニスロットの開始位置および/または占有するミニスロットの数を示すこともでき、この時、１つの時間領域リソースユニット内にいくつかのミニスロットが含まれ、且つ、各ミニスロットに複数のシンボルが含まれ、第２のリソース指示情報は、ターゲットチャネルを伝送するための時間領域リソースがｎ＋ｉ番目の時間領域リソースユニットで占有するミニスロットの情報と、当該ミニスロットで占有するシンボルの情報とを示すことができる。これに限定されるものではない。
【０１１３】
任意選択で、当該第２のリソース指示情報は、さらに、当該時間領域リソースの識別子を含むことができ、当該第２のリソース指示情報に示す当該時間領域リソースは、予め設定された複数の時間領域リソースのうちの当該識別子に対応する時間領域リソースである。
【０１１４】
つまり、ｎ＋ｉ番目の時間領域リソースユニットでターゲットチャネルを伝送するための時間領域リソースは、予め設定された多種の時間領域リソース構成のうちの１つであってもよく、具体的に、時間領域リソースに対応する識別子によって確定されてもよい。
【０１１５】
任意選択で、当該第１のリソース指示情報は、さらに、当該ｎ＋ｉ番目の時間領域リソースユニットにおいて当該ターゲットチャネルを伝送するための時間領域リソースを示す。
【０１１６】
任意選択で、当該方法は、さらに、ネットワークデバイスは、第１のリソース指示情報に示す時間領域リソースと第２のリソース指示情報に示す時間領域リソースとが同じであるかどうかを確定し、第１のリソース指示情報に示す時間領域リソースと第２のリソース指示情報に示す時間領域リソースと異なる場合、ネットワークデバイスは、第２のリソース指示情報に示す当該時間領域リソースを利用してターゲットチャネルを伝送すると確定する。
【０１１７】
この実施例において、第１のリソース指示情報に示すｎ＋ｉ番目の時間領域リソースユニットにおいてターゲットチャネルを伝送する時間領域リソースと、第２のリソース指示情報に示すｎ＋ｉ番目の時間領域リソースユニットにおいてデータを伝送する時間領域リソースとが異なる場合、又は競合する場合、ネットワークデバイスは、第２のリソース指示情報に示す当該時間領域リソースを、ｎ＋ｉ番目の時間領域リソースユニットにおいてターゲットチャネルを伝送する時間領域リソースとする。
【０１１８】
任意選択で、当該方法は、さらに、ネットワークデバイスは、第２のリソース指示情報に応じて、第１のリソース指示情報に示す時間領域リソースの範囲において、ターゲットチャネルを伝送するための当該時間領域リソースを確定する。
【０１１９】
この実施例において、第１のリソース指示情報に示すｎ＋ｉ番目の時間領域リソースユニットにおいてターゲットチャネルを伝送する時間領域リソースの範囲は、第２のリソース指示情報に示すｎ＋ｉ番目の時間領域リソースユニットにおいてデータを伝送する時間領域リソースより大きい。
【０１２０】
ネットワークデバイスは、先に、第１のリソース指示情報を介して、時間領域リソースの大体の範囲を端末デバイスに指示し、ｎ＋ｉ番目の時間領域リソースユニットにおいてターゲットチャネルを伝送する時間領域リソースを確定した後、第２のリソース指示情報を介して、ｎ＋ｉ番目の時間領域リソースユニットにおいてターゲットチャネルを伝送する時間領域リソース位置を具体的に指示することができる。
【０１２１】
任意選択で、１１２０において、ネットワークデバイスは、当該第１の時刻の後の第２の時刻において、端末デバイスに第２のリソース指示情報を送信することは、ネットワークデバイスは、第１の時刻の後の第２の時刻において、予め設定された周波数領域リソースにおいて端末デバイスに当該第２のリソース指示情報を送信することを含む。
【０１２２】
即ち、ネットワークデバイスが第２のリソース指示情報を送信する時間領域リソースは、予め設定されたものである。例えば、第２のリソース指示情報の時間領域リソース位置と第１のリソース指示情報の時間領域リソース位置との間に固定の位置関係がある。ネットワークデバイスは、第１のリソース指示情報を送信した後、応答された時間領域リソースにおいて第２のリソース指示情報を送信する。ここで、当該第２のリソース指示情報を送信する時間領域リソースは、当該第２の時刻である。
【０１２３】
さらに、任意選択で、第１のリソース指示情報は、第２のリソース指示情報を受信するための当該第２の時刻及び当該予め設定された周波数領域リソースを含み、ネットワークデバイスが端末デバイスに第２のリソース指示情報を受信する前に、当該方法は、さらに、ネットワークデバイスは、第２のリソース指示情報を受信するための第２の時刻及び当該予め設定された周波数領域リソースを確定することを含む。
【０１２４】
即ち、ネットワークデバイスが第２のリソース指示情報を送信する時間領域リソースの情報は、第１のリソース指示情報に含まれて端末デバイスに送信する。端末デバイスは、第１の時刻に第１のリソース指示情報を受信した後、第１のリソース指示情報から、ｎ＋ｉ番目の時間領域リソースユニットにおいてターゲットチャネルを伝送するための周波数領域リソースとともに、第２のリソース指示情報を受信するための時間領域リソース即ち第２の時刻及び周波数領域リソースを取得することができ、そして、端末デバイスは、第２の時刻に受信した第２のリソース指示情報から、ｎ＋ｉ番目の時間領域リソースユニットにおいてターゲットチャネルを伝送するための時間領域リソースを取得する。
【０１２５】
任意選択で、１１２０の後、当該方法は、さらに、１１３０を含む。
【０１２６】
１１３０において、ネットワークデバイスは、当該ｎ＋ｉ番目の時間領域リソースユニットの当該周波数領域リソース及び当該時間領域リソースにおいて、端末デバイスにより送信された当該ターゲットチャネルを受信し、又は端末デバイスに当該ターゲットチャネルを送信する。
【０１２７】
本願の実施例におけるデータ伝送方法によって、ネットワークデバイスは、伝送リソース情報が含まれる下り制御情報を端末デバイスに送信した後、上り/下りチャネルの伝送を示すリソース指示情報を端末デバイスに追加して送信することで、端末デバイスへの事前リソーススケジューリングの上で、上り/下りチャネルを伝送るためのリソース位置を端末デバイスに正確に通知することができる。
【０１２８】
ネットワークデバイスが、第１のリソース指示情報および第２のリソース指示情報を使用して、端末デバイスのための伝送リソースを構成することは、図７〜図１０の説明を参照し、ここで説明を省略する。
【０１２９】
なお、本願の実施例におて、ネットワークデバイスが端末デバイスに送信する第１のリソース指示情報及び第２のリソース指示情報は、時間領域リソースユニットにおいてターゲットチャネルを伝送するための時間領域リソースを示し、ここで「示す」は、直接または間接なのもである。例えば、ネットワークデバイスは、ターゲットチャネルを伝送すための時間領域リソースの情報が第２のリソース指示情報に含まれ、時間領域リソースユニットにおいてターゲットチャネルを伝送するための時間領域リソースを端末デバイスに直接に指示し、又は、ネットワークデバイスは、第２のリソース指示情報に当該スロット内の他のチャネルが占有される時間領域リソースが含まれ、ここ場合、端末デバイスは、時間領域リソースユニット内に占有される時間領域リソースに応じて、当該時間領域リソースユニットにおいてターゲットチャネルを伝送するための時間領域リソースを推定することができ、例えば、第２のリソース指示情報にｎ＋ｉ番目のスロットにおいてＰＤＣＣＨを伝送するためのシンボル位置が含まれる場合、端末デバイスは、ＰＤＣＣＨを伝送するためのシンボル位置に応じて、当該スロット内の残ってるシンボルがＰＤＳＣＨの伝送用シンボルであると確定する。
【０１３０】
なお、本願の実施例において、ネットワークデバイスは、複数の時間領域リソースユニットにおいてターゲットチャネルを伝送する時間領域リソースを端末デバイスに指示することができる。ネットワークデバイスは、第１の時刻において端末デバイスに第１のリソース指示情報を送信し、第１のリソース指示情報は、ｎ番目の時間領域リソースユニットの後のＫ（Ｋ≧１）個の時間領域リソースユニット内の各時間領域リソースユニットにおいて端末デバイスのターゲットチャネルを伝送するための周波数領域リソースを示す。ネットワークデバイスは、第１の時刻の後の第２の時刻において、第２のリソース指示情報を端末デバイスに送信し、第２のリソース指示情報は、ｎ＋ｉ番目の時間領域リソースユニットにおいてターゲットチャネルを伝送するための時間領域リソースを示し、また、ネットワークデバイスは、第１の時刻の後の第３の時刻において、第３のリソース指示情報を端末デバイスに送信してもよく、第３のリソース指示情報は、第ｎ＋ｋ個の時間領域リソースユニットにおいて前記ターゲットチャネルを伝送するための時間領域リソースを示し、ｋ≠ｉである。
【０１３１】
例えば、図１２はＰＤＳＣＨの複数のスロットリソース構成（ｓｌｏｔ ａｇｇｒｅｇａｔｉｏｎ）の模式図を示す。スロット１〜スロット３の時間領域リソースが下り制御チャネルＰＤＣＣＨに占有される。ネットワークデバイスは、スロット１において第１のリソース指示情報を端末デバイスに送信して、スロット１〜スロット３のＰＤＳＣＨの伝送リソースをスケジューリングするが、第１のリソース指示情報の送信時刻即ちＴ１時刻において、スロット２及びスロット３のＰＤＣＣＨが占有される時間領域リソースの位置がまだ確定されない。ＰＤＣＣＨのスロット２に占有される時間領域リソースが確定された後、ネットワークデバイスは、時刻Ｔ２’において、第２のリソース指示情報を送信して、スロット２においてＰＤＳＣＨを伝送するための時間領域リソースを端末デバイスに指示し、これによって、スロット２においてＰＤＳＣＨを伝送するための正確な時間領域リソースを端末デバイスに追加して指示することで、ＰＤＣＣＨのスロット３に占用される時間領域リソースが確定された後、ネットワークデバイスは、時刻Ｔ２’’において、第３のリソース指示情報を送信して、スロット３においてＰＤＳＣＨを伝送するための時間領域リソースを端末デバイスに指示し、スロット３においてＰＤＳＣＨを伝送するための正確な時間領域リソースを端末デバイスに追加して指示することで、端末デバイスがＰＤＣＣＨをＰＤＳＣＨとして受信することを回避し、ＰＤＳＣＨの復調及び復号性能を保証することができる。
【０１３２】
なお、本願の様々な実施例において、上記プロセスのシーケンス番号のサイズは、実行順序、各プロセスの実行順序がその機能および内部論理によって確定されるべきであることを意味せず、この実施例の実行プロセスは制限されない。
【０１３３】
図１３は本願の実施例における端末デバイス１３００のブロック図である。図１３に示すように、当該端末デバイス１３００は、受信ユニット１３１０及び送信ユニット１３２０を含む。
【０１３４】
当該受信ユニット１３１０は、第１の時刻において、ネットワークデバイスにより送信された第１のリソース指示情報を受信するように構成され、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記受信ユニット１３１０は、さらに、前記第１の時刻の後の第２の時刻において、前記ネットワークデバイスにより送信された第２のリソース指示情報を受信するように構成され、前記第２のリソース指示情報が、前記ｎ＋ｉ番目の時間領域リソースユニットにおいて前記ターゲットチャネルを伝送するための時間領域リソースを示す。
【０１３５】
そして、端末デバイスは、伝送リソース情報が含まれる下り制御情報を受信した後、ネットワークデバイスにより追加されて送信された、上り／下りチャネルのリソースを示す指示情報を受信することで、事前スケジューリングの上で上り／下りチャネルを伝送するためのリソース位置を正確に把握することができる。
【０１３６】
任意選択で、前記ｎ＋ｉ番目の時間領域リソースユニットにおいて前記ターゲットチャネルを伝送するための前記時間領域リソースは、前記ネットワークデバイスが前記第１の時刻の後に確定したものである。
【０１３７】
任意選択で、前記送信ユニット１３２０は、前記ｎ＋ｉ番目の時間領域リソースユニットの前記周波数領域リソース及び前記時間領域リソースにおいて、前記ネットワークデバイスに前記ターゲットチャネルを送信するように構成され、
前記受信ユニット１３１０は、さらに、前記ｎ＋ｉ番目の時間領域リソースユニットの前記周波数領域リソース及び前記時間領域リソースにおいて、前記ネットワークデバイスにより送信された前記ターゲットチャネルを受信するように構成される。
【０１３８】
任意選択で、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【０１３９】
任意選択で、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【０１４０】
任意選択で、前記第１のリソース指示情報は、前記ｎ＋ｉ番目の時間領域リソースユニットにおいて前記ターゲットチャネルを伝送するための時間領域リソースを示す。
【０１４１】
任意選択で、前記端末デバイスが確定ユニットをさらに含み、前記確定ユニットは、前記第１のリソース指示情報に示す時間領域リソースと前記第２のリソース指示情報に示す時間領域リソースとが同じであるかどうかを確定し、前記第１のリソース指示情報に示す時間領域リソースと前記第２のリソース指示情報に示す時間領域リソースとが異なる場合、前記第２のリソース指示情報に示す前記時間領域リソースを利用して前記ターゲットチャネルを伝送すると確定するように構成される。
【０１４２】
任意選択で、前記端末デバイスが確定ユニットをさらに含み、前記確定ユニットは、前記第２のリソース指示情報に応じて、前記第１のリソース指示情報に示す時間領域リソースの範囲において、前記ターゲットチャネルを伝送するための前記時間領域リソースを確定するように構成される。
【０１４３】
任意選択で、前記受信ユニット１３１０は、前記第１の時刻の後の第２の時刻において、予め設定された周波数領域リソースにおいて前記ネットワークデバイスにより送信された前記第２のリソース指示情報を受信するように構成される。
【０１４４】
任意選択で、前記第１のリソース指示情報が、前記第２のリソース指示情報を受信するための前記第２の時刻及び前記予め設定された周波数領域リソースを含み、前記確定ユニットは、さらに、前記受信ユニット１３１０が前記ネットワークデバイスにより送信された第２のリソース指示情報を受信する前に、前記第１のリソース指示情報に応じて、前記第２のリソース指示情報を受信するための前記第２の時刻及び前記予め設定された周波数領域リソースを確定するように構成される。
【０１４５】
任意選択で、前記第２のリソース指示情報は、前記端末デバイスの専有情報である。
【０１４６】
任意選択で、前記ｎ番目の時間領域リソースユニットは、ｎ番目のスロット、ｎ番目のミニスロット、及びｎ番目のサブフレームのうちの少なくとも１つを含む。
【０１４７】
任意選択で、前記受信ユニット１３１０が前記第１のリソース指示情報を受信する物理チャネルは、前記第２のリソース指示情報を受信する物理チャネルと異なる。
【０１４８】
任意選択で、前記データチャネルは、上りデータチャネル、下りデータチャネル、及びサイドリンクデータチャネルのうちの少なくとも１つを含む。
【０１４９】
図１４は本願の実施例におけるネットワークデバイス１４００のブロック図である。図１４に示すように、当該ネットワークデバイス１４００は、送信ユニット１４１０及び受信ユニット１４２０を含む。
【０１５０】
送信ユニット１４１０は、第１の時刻において端末デバイスに第１のリソース指示情報を送信するように構成され、前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記送信ユニット１４１０は、さらに、前記第１の時刻の後の第２の時刻において、前記端末デバイスに第２のリソース指示情報を送信するように構成され、前記第２のリソース指示情報が、前記ｎ＋ｉ番目の時間領域リソースユニットにおいて前記ターゲットチャネルを伝送するための時間領域リソースを示す。
【０１５１】
そして、ネットワークデバイスは、端末デバイスに伝送リソース情報が含まれる下り制御情報を送信した後、上り/下りチャネルの伝送を示すリソース指示情報を端末デバイスに追加して送信することで、端末デバイスへの事前リソーススケジューリングの上で、上り/下りチャネルを伝送るためのリソース位置を端末デバイスに正確に通知することができる。
【０１５２】
任意選択で、前記ｎ＋ｉ番目の時間領域リソースユニットにおいて前記ターゲットチャネルを伝送するための前記時間領域リソースは、前記ネットワークデバイスが前記第１の時刻の後に確定したものである。
【０１５３】
任意選択で、前記受信ユニット１４２０は、前記ｎ＋ｉ番目の時間領域リソースユニットの前記周波数領域リソース及び前記時間領域リソースにおいて、前記端末デバイスにより送信された前記ターゲットチャネルを受信するように構成され、
前記送信ユニット１４１０は、さらに、前記ｎ＋ｉ番目の時間領域リソースユニットの前記周波数領域リソース及び前記時間領域リソースにおいて、前記端末デバイスに前記ターゲットチャネルを送信するように構成される。
【０１５４】
任意選択で、前記第２のリソース指示情報に示す前記時間領域リソースは、前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む。
【０１５５】
任意選択で、前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである。
【０１５６】
任意選択で、前記第１のリソース指示情報は、前記ｎ＋ｉ番目の時間領域リソースユニットにおいて前記ターゲットチャネルを伝送するための時間領域リソースを示す。
【０１５７】
任意選択で、前記ネットワークデバイスは、確定ユニットをさらに含み、前記確定ユニットは、前記第１のリソース指示情報に示す時間領域リソースと前記第２のリソース指示情報に示す時間領域リソースとが同じであるかどうかを確定し、前記第１のリソース指示情報に示す時間領域リソースと前記第２のリソース指示情報に示す時間領域リソースとが異なる場合、前記第２のリソース指示情報に示す前記時間領域リソースを利用して前記ターゲットチャネルを伝送すると確定するように構成される。
【０１５８】
任意選択で、前記ネットワークデバイスは、確定ユニットをさらに含み、前記確定ユニットは、前記第２のリソース指示情報に応じて、前記第１のリソース指示情報に示す時間領域リソースの範囲において、前記ターゲットチャネルを伝送するための前記時間領域リソースを確定するように構成される。
【０１５９】
任意選択で、前記送信ユニット１４１０は、前記第１の時刻の後の第２の時刻において、予め設定された周波数領域リソースにおいて前記端末デバイスに前記第２のリソース指示情報を送信するように構成される。
【０１６０】
任意選択で、前記第１のリソース指示情報が、前記第２のリソース指示情報を受信するための前記第２の時刻及び前記予め設定された周波数領域リソースを含み、前記確定ユニットは、さらに、前記送信ユニット１４１０が前記端末デバイスに前記第２のリソース指示情報を送信する前に、前記第２のリソース指示情報を受信するための前記第２の時刻及び前記予め設定された周波数領域リソースを確定するように構成される。
【０１６１】
任意選択で、前記第２のリソース指示情報は、前記端末デバイスの専有情報である。
【０１６２】
任意選択で、前記ｎ番目の時間領域リソースユニットは、ｎ番目のスロット、ｎ番目のミニスロット、及びｎ番目のサブフレームのうちの少なくとも１つを含む。
【０１６３】
任意選択で、前記ネットワークデバイスが前記第１のリソース指示情報を送信する物理チャネルは、前記第２のリソース指示情報を送信する物理チャネルと異なる。
【０１６４】
任意選択で、前記データチャネルは、上りデータチャネル、下りデータチャネル、及びサイドリンクデータチャネルのうちの少なくとも１つを含む。
【０１６５】
図１５は、本願の実施例における端末デバイス１５００の概略構造図である。 図１５に示されるように、端末デバイスは、プロセッサ１５１０、トランシーバ１５２０、およびメモリ１５３０を含み、プロセッサ１５１０、トランシーバ１５２０、およびメモリ１５３０は、内部接続経路を介して互いに通信する。メモリ１５３０は、命令を格納するためのものであり、プロセッサ１５１０は、メモリ１５３０によって格納された命令を実行して、トランシーバ１５２０を制御して信号を受信または送信するように構成される。
【０１６６】
任意選択で、プロセッサ１５１０は、メモリ１５３０に格納されたプログラムコードを呼び出して、図６に示される方法６００で端末デバイスの対応する動作を実行することができ、ここで説明を省略する。
【０１６７】
本願の実施例では、プロセッサ１５１０は中央処理装置（ＣＰＵ）であってもよく、プロセッサ１５１０は他の汎用プロセッサ、デジタル信号プロセッサ（ＤＳＰ）、特定用途向け集積回路（ＡＳＩＣ）、プログラマブルゲートアレイ（ＦＰＧＡ）またはその他のプログラマブルロジックデバイス、個別のゲートまたはトランジスタロジックデバイス、個別のハードウェアコンポーネント、汎用プロセッサは、マイクロプロセッサまたはプロセッサまたは任意の従来のプロセッサなどであってもよい。
【０１６８】
メモリ１５３０は、読み取り専用メモリおよびランダムアクセスメモリを含むことができ、命令およびデータをプロセッサ１５１０に提供する。メモリ１５３０の一部は、不揮発性ランダムアクセスメモリも含み得る。例えば、メモリ１５３０は、デバイスタイプの情報も保存することができる。
【０１６９】
実行プロセスにおいて、前述の方法の各ステップは、プロセッサ１５１０内のハードウェアの統合論理回路、またはソフトウェアの形の命令によって完了することができる。本願の実施例で開示される測位方法のステップは、ハードウェアプロセッサによって直接実装されてもよく、またはプロセッサ１５１０内のハードウェアおよびソフトウェアモジュールの組み合わせによって実行されてもよい。 ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなどの従来の記憶媒体に配置することができます。記憶媒体はメモリ１５３０に配置され、プロセッサ１５１０はメモリ１５３０の情報を読み取り、そのハードウェアと組み合わせて上記の方法のステップを実行する。ここで説明を省略する。
【０１７０】
本願の実施例に係る端末デバイス１５００は、前述の方法６００の方法６００を実行する端末デバイス、および本願の実施例に係る端末デバイス１３００に対応し、端末デバイス１５００の各ユニットまたはモジュールは、 上記方法６００で端末デバイスが実行する動作または処理は実行されるが、ここでは、重複を避けるために、詳細な説明は省略する。
【０１７１】
図１６は、本願の実施例によるネットワークデバイス１６００の概略構造図である。図１６に示されるように、ネットワークデバイスは、プロセッサ１６１０、トランシーバ１６２０、およびメモリ１６３０を含み、プロセッサ１６１０、トランシーバ１６２０、およびメモリ１６３０は、内部接続経路を介して互いに通信する。メモリ１６３０は、命令を格納するためのものであり、プロセッサ１６１０は、メモリ１６３０によって格納された命令を実行して、トランシーバ１６２０を制御して信号を受信または送信するように構成される。
【０１７２】
任意選択で、プロセッサ１６１０は、メモリ１６３０に格納されたプログラムコードを呼び出して、図１１に示される方法１１００でネットワークデバイスの対応する動作を実行することができ、ここで説明を省略する。
【０１７３】
本願の実施例では、プロセッサ１６１０は中央処理装置（ＣＰＵ）であってもよく、プロセッサ１６１０は他の汎用プロセッサ、デジタル信号プロセッサ（ＤＳＰ）、特定用途向け集積回路（ＡＳＩＣ）、プログラマブルゲートアレイ（ＦＰＧＡ）またはその他のプログラマブルロジックデバイス、個別のゲートまたはトランジスタロジックデバイス、個別のハードウェアコンポーネント、汎用プロセッサは、マイクロプロセッサまたはプロセッサまたは任意の従来のプロセッサなどであってもよい。
【０１７４】
メモリ１６３０は、読み取り専用メモリおよびランダムアクセスメモリを含むことができ、命令およびデータをプロセッサ１６１０に提供する。 メモリ１６３０の一部は、不揮発性ランダムアクセスメモリも含み得る。 例えば、メモリ１６３０は、デバイスタイプの情報も保存することができる。
【０１７５】
実施プロセスにおいて、前述の方法の各ステップは、プロセッサ１６１０内のハードウェアの統合論理回路、またはソフトウェアの形の命令によって完了することができる。 本願の実施例で開示される測位方法のステップは、ハードウェアプロセッサによって直接実装されてもよく、またはプロセッサ１６１０内のハードウェアおよびソフトウェアモジュールの組み合わせによって実行されてもよい。 ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなどの従来の記憶媒体に配置することができます。 記憶媒体はメモリ１６３０に配置され、プロセッサ１６１０はメモリ１６３０の情報を読み取り、そのハードウェアと組み合わせて上記の方法のステップを実行する。ここで説明を省略する。
【０１７６】
本願の実施例に係る端末デバイス１６００は、前述の方法１１００の方法１１００を実行するネットワークデバイス１４００、および本願の実施例に係るネットワークデバイス１６００に対応し、ネットワークデバイス１６００の各ユニットまたはモジュールは、 上記方法１１００で端末デバイスが実行する動作または処理は実行されるが、ここでは、重複を避けるために、詳細な説明は省略する。
【０１７７】
本願の一実施例によるシステムチップの概略構造図である。 図１７のシステムチップ１７００は、入力インターフェース１７０１、出力インターフェース１７０２、少なくとも１つのプロセッサ１７０３、およびメモリ１７０４を含む。入力インターフェース１７０１、出力インターフェース１７０２、プロセッサ１７０３、およびメモリ１７０４は、内部接続経路によって相互接続される。プロセッサ１７０３は、メモリ１７０４内のコードを実行するように構成される。
【０１７８】
任意選択で、コードが実行されると、プロセッサ１７０３は、方法の実施例において端末デバイスによって実行される方法６００を実施することができる。 簡潔にするために、ここで説明を省略する。
【０１７９】
任意選択で、コードが実行されると、プロセッサ１７０３は、方法の実施例においてネットワークデバイスによって実行される方法１１００を実施することができる。 簡潔にするためにここで説明を省略する。
【０１８０】
本明細書に開示される実施例に関連して説明される様々な例の要素およびアルゴリズムステップは、電子ハードウェアまたはコンピュータソフトウェアと電子ハードウェアの組み合わせで実装できることを当業者は理解するであろう。これらの機能がハードウェアで実行されるかソフトウェアで実行されるかは、特定のアプリケーションとソリューションの設計上の制約に依存する。当業者は、特定のアプリケーションごとに説明された機能を実装するために異なる方法を使用することができるが、そのような実装は本願の範囲を超えると見なされるべきではない。
【０１８１】
当業者は、説明の便宜上および簡潔さのために、上記のシステム、デバイス、およびユニットの特定の作業プロセスは、前述の方法の実施例の対応するプロセスを参照できることを明確に理解でき、ここで説明を省略する。
【０１８２】
本願によって提供されるいくつかの実施例では、開示されたシステム、デバイス、および方法は、他の方法で実装され得ることを理解されたい。たとえば、上記のデバイスの実施例は単なる例示であり、たとえば、ユニットの分割は論理機能の分割にすぎない。実際の実装では、たとえば、複数のユニットまたはコンポーネントを組み合わせたり、別のシステムに統合するか、一部の機能を無視するか実行しないことができます。加えて、図示または議論される相互結合または直接結合または通信接続は、何らかのインターフェース、デバイスまたはユニットを介した間接結合または通信接続であり得、電気的、機械的または他の形態であり得る。
【０１８３】
個別のコンポーネントとして説明されるユニットは、物理的に分離される場合とされない場合があり、ユニットとして表示されるコンポーネントは、物理ユニットである場合とそうでない場合がある。ユニットのいくつかまたはすべては、実施例の解決策の目的を達成するための実際のニーズに従って選択されてもよい。
【０１８４】
さらに、本願の各実施例における各機能ユニットは、１つの処理ユニットに統合されてもよく、各ユニットは物理的に別々に存在してもよく、または２つ以上のユニットが１つのユニットに統合されてもよい。
【０１８５】
この機能は、ソフトウェア機能ユニットとして実装され、スタンドアロン製品として販売または使用される場合、コンピューターで読み取り可能な記憶媒体に保存できます。そのような理解に基づいて、先行技術に不可欠または貢献する本願の技術的解決策、または技術的解決策の一部は、以下を含む記憶媒体に格納されるソフトウェア製品の形で具現化され得る。命令は、本願の様々な実施例の方法のステップの全部または一部を実行するコンピューターデバイス（パーソナルコンピューター、サーバー、またはネットワークデバイスなどであってもよい）に使用される。前述の記憶媒体には、Ｕディスク、モバイルハードディスク、読み取り専用メモリ（ＲＯＭ）、ランダムアクセスメモリ（ＲＡＭ）、ディスク、または光ディスクが含まれる。プログラムコードを保存できる媒体。
【０１８６】
上記は本願の特定の実施例に過ぎないが、本願の実施例の保護の範囲はそれに限定されず、当業者は本願の実施例に開示された技術的範囲内で変更または置換を容易に考えることができる。 、個人的な利益のためにこのアプリケーションの保護の範囲でカバーされるべきです。したがって、本願の実施例の保護範囲は、特許請求の範囲の保護範囲によって確定されるべきである。
【手続補正２】
【補正対象書類名】特許請求の範囲
【補正対象項目名】全文
【補正方法】変更
【補正の内容】
【特許請求の範囲】
【請求項１】
端末デバイスが、第１の時刻において、ネットワークデバイスにより送信された第１のリソース指示情報を受信することと、
前記端末デバイスが前記第１の時刻の後の第２の時刻において、前記ネットワークデバイスにより送信された第２のリソース指示情報を受信することとを含み、
前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記第２のリソース指示情報が、前記ｎ＋ｉ番目の時間領域リソースユニットにおいて前記ターゲットチャネルを伝送するための時間領域リソースを示す
ことを特徴とするデータ伝送方法。
【請求項２】
前記ｎ＋ｉ番目の時間領域リソースユニットにおいて前記ターゲットチャネルを伝送するための前記時間領域リソースは、前記ネットワークデバイスが前記第１の時刻の後に確定したものである
ことを特徴とする請求項１に記載のデータ伝送方法。
【請求項３】
前記方法は、さらに、
前記端末デバイスが前記ｎ＋ｉ番目の時間領域リソースユニットの前記周波数領域リソース及び前記時間領域リソースにおいて、前記ネットワークデバイスに前記ターゲットチャネルを送信し、又は前記ネットワークデバイスにより送信された前記ターゲットチャネルを受信することを含む
ことを特徴とする請求項１又は２に記載のデータ伝送方法。
【請求項４】
前記第２のリソース指示情報に示す前記時間領域リソースは、
前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む
ことを特徴とする請求項１〜３のいずれか１項に記載のデータ伝送方法。
【請求項５】
前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである
ことを特徴とする請求項１〜３のいずれか１項に記載のデータ伝送方法。
【請求項６】
前記第１のリソース指示情報は、前記ｎ＋ｉ番目の時間領域リソースユニットにおいて前記ターゲットチャネルを伝送するための時間領域リソースを示す
ことを特徴とする請求項１〜５のいずれか１項に記載のデータ伝送方法。
【請求項７】
前記方法は、さらに、
前記端末デバイスは、前記第１のリソース指示情報に示す時間領域リソースと前記第２のリソース指示情報に示す時間領域リソースとが同じであるかどうかを確定することと、
前記第１のリソース指示情報に示す時間領域リソースと、前記第２のリソース指示情報に示す時間領域リソースとが異なる場合、前記端末デバイスが前記第２のリソース指示情報に示す前記時間領域リソースを利用して前記ターゲットチャネルを伝送すると確定することとを含む
ことを特徴とする請求項６に記載のデータ伝送方法。
【請求項８】
前記方法は、さらに、
前記端末デバイスが前記第２のリソース指示情報に応じて、前記第１のリソース指示情報に示す時間領域リソースの範囲において、前記ターゲットチャネルを伝送するための前記時間領域リソースを確定することを含む
ことを特徴とする請求項６に記載のデータ伝送方法。
【請求項９】
前記端末デバイスが前記第１の時刻の後の第２の時刻において、前記ネットワークデバイスにより送信された第２のリソース指示情報を受信することは、
前記端末デバイスが前記第１の時刻の後の第２の時刻において、予め設定された周波数領域リソースにおいて前記ネットワークデバイスにより送信された前記第２のリソース指示情報を受信することを含む
ことを特徴とする請求項１〜８のいずれか１項に記載のデータ伝送方法。
【請求項１０】
前記第１のリソース指示情報が、前記第２のリソース指示情報を受信するための前記第２の時刻及び前記予め設定された周波数領域リソースを含み、前記端末デバイスが前記ネットワークデバイスにより送信された第２のリソース指示情報を受信する前に、前記方法は、さらに、
前記端末デバイスが前記第１のリソース指示情報に応じて、前記第２のリソース指示情報を受信するための前記第２の時刻及び前記予め設定された周波数領域リソースを確定することを含む
ことを特徴とする請求項９に記載のデータ伝送方法。
【請求項１１】
前記第２のリソース指示情報は、前記端末デバイスの専有情報である
ことを特徴とする請求項１〜１０のいずれか１項に記載のデータ伝送方法。
【請求項１２】
前記ｎ番目の時間領域リソースユニットは、
ｎ番目のスロット、ｎ番目のミニスロット、及びｎ番目のサブフレームのうちの少なくとも１つを含む
ことを特徴とする請求項１〜１１のいずれか１項に記載のデータ伝送方法。
【請求項１３】
前記端末デバイスが前記第１のリソース指示情報を受信する物理チャネルは、前記第２のリソース指示情報を受信する物理チャネルと異なる
ことを特徴とする請求項１〜１２のいずれか１項に記載のデータ伝送方法。
【請求項１４】
前記データチャネルは、
上りデータチャネル、下りデータチャネル、及びサイドリンクデータチャネルのうちの少なくとも１つを含む
ことを特徴とする請求項１〜１３のいずれか１項に記載のデータ伝送方法。
【請求項１５】
第１の時刻においてネットワークデバイスにより送信された第１のリソース指示情報を受信するように構成される受信ユニットを含み、
前記第１の時刻がｎ番目の時間領域リソースユニットに位置し、前記第１のリソース指示情報が、ｎ＋ｉ番目の時間領域リソースユニットにおいてターゲットチャネルを伝送するための周波数領域リソースを示し、前記ターゲットチャネルが、前記端末デバイスのデータチャネル又は制御チャネルを含み、ｎとｉとが、正の整数であり、
前記受信ユニットは、さらに、前記第１の時刻の後の第２の時刻において、前記ネットワークデバイスにより送信された第２のリソース指示情報を受信するように構成され、
前記第２のリソース指示情報が、前記ｎ＋ｉ番目の時間領域リソースユニットにおいて前記ターゲットチャネルを伝送するための時間領域リソースを示す
ことを特徴とする端末デバイス。
【請求項１６】
前記ｎ＋ｉ番目の時間領域リソースユニットにおいて前記ターゲットチャネルを伝送するための前記時間領域リソースは、前記ネットワークデバイスが前記第１の時刻の後に確定したものである
ことを特徴とする請求項１５に記載の端末デバイス。
【請求項１７】
前記端末デバイスは、送信ユニットをさらに含み、
前記送信ユニットは、前記ｎ＋ｉ番目の時間領域リソースユニットの前記周波数領域リソース及び前記時間領域リソースにおいて、前記ネットワークデバイスに前記ターゲットチャネルを送信するように構成され、
前記受信ユニットは、さらに、前記ｎ＋ｉ番目の時間領域リソースユニットの前記周波数領域リソース及び前記時間領域リソースにおいて、前記ネットワークデバイスにより送信された前記ターゲットチャネルを受信するように構成される
ことを特徴とする請求項１５又は１６に記載の端末デバイス。
【請求項１８】
前記第２のリソース指示情報に示す前記時間領域リソースは、
前記ｎ＋ｉ番目の時間領域リソースユニットにおいて前記ターゲットチャネルを伝送するためのシンボルの開始位置、前記ターゲットチャネルを伝送するためのシンボルの数、前記ターゲットチャネルを伝送するためのミニスロット、及び前記ターゲットチャネルを伝送するためのミニスロットの数のうちの少なくとも１つを含む
ことを特徴とする請求項１５〜１７のいずれか１項に記載の端末デバイス。
【請求項１９】
前記第２のリソース指示情報が前記時間領域リソースの識別子を含み、前記第２のリソース指示情報に示す前記時間領域リソースは、予め設定された複数の時間領域リソースのうちの前記識別子に対応する時間領域リソースである
ことを特徴とする請求項１５〜１７のいずれか１項に記載の端末デバイス。
【請求項２０】
前記第１のリソース指示情報は、前記ｎ＋ｉ番目の時間領域リソースユニットにおいて前記ターゲットチャネルを伝送するための時間領域リソースを示す
ことを特徴とする請求項１５〜１９のいずれか１項に記載の端末デバイス。
【請求項２１】
前記端末デバイスが確定ユニットをさらに含み、
前記確定ユニットは、
前記第１のリソース指示情報に示す時間領域リソースと前記第２のリソース指示情報に示す時間領域リソースとが同じであるかどうかを確定し、
前記第１のリソース指示情報に示す時間領域リソースと前記第２のリソース指示情報に示す時間領域リソースとが異なる場合、前記第２のリソース指示情報に示す前記時間領域リソースを利用して前記ターゲットチャネルを伝送すると確定するように構成される
ことを特徴とする請求項２０に記載の端末デバイス。
【請求項２２】
前記端末デバイスが確定ユニットをさらに含み、
前記確定ユニットは、
前記第２のリソース指示情報に応じて、前記第１のリソース指示情報に示す時間領域リソースの範囲において、前記ターゲットチャネルを伝送するための前記時間領域リソースを確定するように構成される
ことを特徴とする請求項２０に記載の端末デバイス。
【請求項２３】
前記受信ユニットは、
前記第１の時刻の後の第２の時刻において、予め設定された周波数領域リソースにおいて前記ネットワークデバイスにより送信された前記第２のリソース指示情報を受信するように構成される
ことを特徴とする請求項１５〜２２のいずれか１項に記載の端末デバイス。
【請求項２４】
前記第１のリソース指示情報が、前記第２のリソース指示情報を受信するための前記第２の時刻及び前記予め設定された周波数領域リソースを含み、
前記確定ユニットは、さらに、
前記受信ユニットが前記ネットワークデバイスにより送信された第２のリソース指示情報を受信する前に、前記第１のリソース指示情報に応じて、前記第２のリソース指示情報を受信するための前記第２の時刻及び前記予め設定された周波数領域リソースを確定するように構成される
ことを特徴とする請求項２３に記載の端末デバイス。
【請求項２５】
前記第２のリソース指示情報は、前記端末デバイスの専有情報である
ことを特徴とする請求項１５〜２４のいずれか１項に記載の端末デバイス。
【請求項２６】
前記ｎ番目の時間領域リソースユニットは、
ｎ番目のスロット、ｎ番目のミニスロット、及びｎ番目のサブフレームのうちの少なくとも１つを含む
ことを特徴とする請求項１５〜２５のいずれか１項に記載の端末デバイス。
【請求項２７】
前記受信ユニットが前記第１のリソース指示情報を受信する物理チャネルは、前記第２のリソース指示情報を受信する物理チャネルと異なる
ことを特徴とする請求項１５〜２６のいずれか１項に記載の端末デバイス。
【請求項２８】
前記データチャネルは、
上りデータチャネル、下りデータチャネル、及びサイドリンクデータチャネルのうちの少なくとも１つを含む
ことを特徴とする請求項１５〜２７のいずれか１項に記載の端末デバイス。
【手続補正３】
【補正対象書類名】図面
【補正対象項目名】全図
【補正方法】変更
【補正の内容】
【図１】
2020515145.tif 000021
【図２】
2020515145.tif 000022
【図３】
2020515145.tif 000023
【図４】
2020515145.tif 000024
【図５】
2020515145.tif 000025
【図６】
2020515145.tif 000026
【図７】
2020515145.tif 000027
【図８】
2020515145.tif 000028
【図９】
2020515145.tif 000029
【図１０】
2020515145.tif 000030
【図１１】
2020515145.tif 000031
【図１２】
2020515145.tif 000032
【図１３】
2020515145.tif 000033
【図１４】
2020515145.tif 000034
【図１５】
2020515145.tif 000035
【図１６】
2020515145.tif 000036
【図１７】
2020515145.tif 000037
【国際調査報告】
2020515145.tif 000038
2020515145.tif 000039
2020515145.tif 000040
2020515145.tif 000041